(57)【要約】      （修正有）【課題】扉を第１扉体と第２扉体から構成してなる差圧緩和機構を備えたドア装置において、差圧発生時に第１扉体のみを開放させる時に、第１扉体の回動角度を所定角度に制限するドア装置を提供する。【解決手段】ドア枠により形成された開口部を開閉する扉を、第１扉体と第２扉体から構成してなるドア装置において、開口部全閉姿勢からの扉の開放初動時に扉開放の抵抗となる差圧が発生している場合には、第１扉体のみを回動させて差圧を解消可能に構成されており、第１扉体の見込面26、29と第２扉体の見込面372、382の間の隙間に位置して、第１扉体の回動角度規制手段が設けてあり、回動角度規制手段は、差圧を解消可能な程度の第１扉体の回動を許容し、開口部全閉時から第１扉体のみが所定角度回動した時に第２扉体に対する第１扉体の回動を規制する。【選択図】図２０
2020143567.tif 000002
【特許請求の範囲】
【請求項１】
ドア枠により形成された開口部を開閉する扉を、第１扉体と第２扉体から構成してなるドア装置において、
第１扉体の戸先側はドア枠の戸先側に係脱可能となっており、
第２扉体の戸尻側はドア枠の戸尻側に回動可能に装着されており、
第１扉体は第２扉体に回動可能に装着されており、
開口部全閉時には、第１扉体と第２扉体は、見込面同士が隙間を存して近接対向して前記扉を形成しており、
開口部全閉姿勢からの扉の開放初動時に扉開放の抵抗となる差圧が発生している場合には、第１扉体のみを回動させて差圧を解消可能に構成されており、
前記隙間に位置して、第１扉体の回動角度規制手段が設けてあり、前記回動角度規制手段は、差圧を解消可能な程度の第１扉体の回動を許容し、開口部全閉時から第１扉体のみが所定角度回動した時に第２扉体に対する第１扉体の回動を規制する、
ドア装置。
【請求項２】
開口部全閉時において、前記回動角度規制手段が設けられた隙間の第１側に位置して、第１扉体と第２扉体の一方の扉体の見付面から突出する突片が、他方の扉体の見込面に近接しており、前記隙間の第２側に位置して、第１扉体と第２扉体の一方の扉体の見込面に設けた気密部材が他方の扉体の見込面に密着している、
請求項１に記載のドア装置。
【請求項３】
前記回動角度規制手段が設けられた隙間は、高さ方向に延びる見込面の間に形成された高さ方向に延びる隙間である、
請求項１、２いずれか１項に記載のドア装置。
【請求項４】
前記回動角度規制手段が設けられた隙間は、前記第１扉体の回動軸芯の近傍に位置している、
請求項１〜３いずれか１項に記載のドア装置。
【請求項５】
前記回動角度規制手段は、第１扉体の見込面と第２扉体の見込面の一方の見込面に設けた第１要素と、他方の見込面に設けた第２要素とを備え、開口部全閉時に、前記第１要素及び前記第２要素は、前記隙間に位置しており、開口部全閉時から第１扉体のみが所定角度回動した時に前記第１要素と前記第２要素が当接して、第２扉体に対する第１扉体の回動が規制される、
請求項１〜４いずれか１項に記載のドア装置。
【請求項６】
前記第１要素は見込面に形成した受部であり、前記第２要素は見込面に突成した突部であり、
開口部全閉時には、前記突部は、前記受部内の第１の位置に位置しており、
第１扉体が閉鎖姿勢から所定角度回動すると、前記突部が、前記受部内の第２の位置に移動して当該受部の部分に当接することで、第２扉体に対する第１扉体の回動が規制される、
請求項５に記載のドア装置。
【請求項７】
前記第１要素は、第１扉体の見込面に形成された受部であり、前記第２要素は、第２扉体の見込面に形成された突部である、
請求項５、６いずれか１項に記載のドア装置。
【請求項８】
第１扉体の見込面は、異なる高さの戸先側上面及び戸尻側上面と、戸先側上面の戸尻側端部と戸尻側上面の戸先側端部間で高さ方向に延びる上方中間見込面と、異なる高さの戸先側下面及び戸尻側下面と、戸先側下面の戸尻側端部と戸尻側下面の戸先側端部間で高さ方向に延びる下方中間見込面と、を含み、
第２扉体の見込面は、開口部全閉時に、前記第１扉体の上方中間見込面、下方中間見込面に隙間を存して対向する上方見込面、下方見込面、を含み、
前記回動角度規制手段の第１要素、第２要素の一方は前記第１扉体の上方中間見込面、下方中間見込面に設けられ、他方は前記第２扉体の上方見込面、下方見込面に設けられている、
請求項５〜７いずれか１項に記載のドア装置。
【請求項９】
前記第１要素、前記第２要素は、高さ方向に延びる見込面に設けてあり、
前記第２要素は、第１部分と第２部分とから断面視Ｌ形状を有しており、第２扉体に対して第１扉体が第１側に回動した状態において、前記第１扉体の見込面と前記第２扉体の見込面の間の隙間に、第２側から挿入可能な形状及び寸法となっており、
前記第２要素は、前記第１部分が前記第２扉体の見込面に当接し、前記第２部分が突部として、前記第１扉体の見込面の受部に挿入された状態で、前記第１部分が前記第２扉体の見込面に固定されている、
請求項５〜８いずれか１項に記載のドア装置。
【請求項１０】
前記第１扉体の見込面の第２側部位には気密部材が設けてあり、
前記第２要素は、第２扉体に対して第１扉体が第１側に回動した状態において、前記第１扉体の見込面に設けた前記気密部材と、前記第２扉体の見込面の第２側部位との間の空間から挿入可能な形状及び寸法となっており、
前記第２要素の第１部分は、螺子によって前記第２扉体の見込面の第２側部位に固定されており、
開口部全閉時には、前記気密部材が前記第２扉体の見込面の第２側部位に接触することで、前記螺子が隠蔽されている、
請求項９に記載のドア装置。
【請求項１１】
前記第２扉体の見込面には、第２側部位から離間した部位に補強部材が固定されており、
前記補強部材は前記見込面から立ち上がる当接部を備えており、前記当接部の突出寸法は、開口部全閉時に、前記第１要素及び第２要素が位置する見込面間の隙間よりも小さく、前記当接部は、前記第２部分からなる突部の基端側部位の第１側に位置して、当該基端側部位に当接ないし当接可能な状態で近接している、
請求項９、１０いずれか１項に記載のドア装置。
【請求項１２】
ドア枠により形成された開口部を開閉する扉を、第１扉体と第２扉体から構成し、
第１扉体の戸先側はドア枠の戸先側に係脱可能となっており、
第２扉体の戸尻側はドア枠の戸尻側に回動可能に装着されており、
第１扉体は第２扉体に回動可能に装着されており、
開口部全閉姿勢からの扉の開放初動時に扉開放の抵抗となる差圧が発生している場合には、第１扉体のみを第１側に回動させて差圧を解消するように構成されているドア装置において、
前記第１扉体の第１見込面と前記第２扉体の第２見込面は高さ方向に延びており、開口部全閉時には、前記第１見込面と前記第２見込面が対向して高さ方向に延びる隙間が形成されており、前記第１見込面と前記第２見込面のいずれか一方の見込面には受部が形成されており、
閉鎖姿勢にある第２扉体に対して第１扉体を第１側に回動させた状態として、前記第１扉体の第１見込面と前記第２扉体の第２見込面の隙間を拡開させて第２側に挿入空間を形成し、
突部を備えた回動角度規制部材を、前記挿入空間から前記第１見込面と前記第２見込面の間に挿入し、前記突部を前記一方の見込面の受部に挿入させた状態とし、前記回動角度規制部材を前記受部が形成されていない他方の見込面に固定する、
ドア装置における回動角度規制部材の取付方法。
【請求項１３】
前記受部は、前記第１扉体の前記第１見込面に形成されており、
前記突部を形成する第１部分と、第２部分とから断面視Ｌ形状を有する前記回動角度規制部材を、前記挿入空間から前記第１見込面と前記第２見込面の間に挿入し、第１部分を第２見込面に当接させ、第２部分を第１見込面の受部に挿入させた状態とし、
前記回動角度規制部材の第１部分を前記第２見込面に螺子で固定する、
請求項１２に記載のドア装置における回動角度規制部材の取付方法。
【発明の詳細な説明】
【技術分野】
【０００１】
本発明は、ドア装置に係り、詳しくは、開口部全閉状態において扉によって仕切られる第１空間と第２空間との間に気圧差が生じた場合において、第１空間と第２空間の差圧を緩和し、扉の開放力を軽減することを可能とする差圧緩和機構を備えたドア装置に関するものである。
【背景技術】
【０００２】
火災時に隣接室との間に圧力差を生じさせることで煙の侵入を防止する排煙設備や加圧防排煙設備等の煙制御手段を備える建物においては、開口部全閉状態の扉の内外に圧力差が生じる場合があり、この圧力差が扉の開放に対する抵抗となって扉の開放力が重くなると、避難及び消防活動に支障を生じるおそれがある。
【０００３】
これに対して、扉を戸先側・戸尻側に縦方向に２分割し、通常時は２枚の扉体が連結されて一体扉として開閉動作可能とし、加圧時に扉体の連結が解除されて２枚に折れるように開くことで扉の内外空間を連通する隙間を生じさせて圧力差を軽減することを検討した。この時、扉が折れて開く動作は一般的な扉の動作軌跡と異なるため、扉開放時の操作性において課題がある。また、一定の開き角度まで戸先側の扉体が開放すれば圧力差を解消可能な隙間を確保できるが、必要以上に戸先側の扉体が開いてしまうと操作性がさらに悪くなるおそれがある。
【０００４】
特許文献１には、扉を吊元扉と戸先扉に２分割し、面積の小さい戸先扉を先に開放することによって、第１空間と第２空間の圧力差を緩和して扉の開放力を軽減する差圧緩和機構が提案されている。特許文献１に開示された差圧緩和機構は、ドアクローザの閉扉力、ラッチ解除に必要な力、ヒンジクローザの閉扉力の力加減によって目的を達成するものであるが、戸先扉の回動角度を制限することについての具体的な構成は開示されていない。
【特許文献１】特許第５５３５３４８号
【発明の開示】
【発明が解決しようとする課題】
【０００５】
本発明は、扉を第１扉体と第２扉体から構成してなる差圧緩和機構を備えたドア装置において、差圧発生時に第１扉体のみを開放させる時に、第１扉体の回動角度を所定角度に制限することを目的とする。
【課題を解決するための手段】
【０００６】
かかる課題を解決するべく本発明が採用した技術手段は、
ドア枠により形成された開口部を開閉する扉を、第１扉体と第２扉体から構成してなるドア装置において、
第１扉体の戸先側はドア枠の戸先側に係脱可能となっており、
第２扉体の戸尻側はドア枠の戸尻側に回動可能に装着されており、
第１扉体は第２扉体に回動可能に装着されており、
開口部全閉時には、第１扉体と第２扉体は、見込面同士が隙間を存して近接対向して前記扉を形成しており、
開口部全閉姿勢からの扉の開放初動時に扉開放の抵抗となる差圧が発生している場合には、第１扉体のみを回動させて差圧を解消可能に構成されており、
前記隙間に位置して、第１扉体の回動角度規制手段が設けてあり、前記回動角度規制手段は、差圧を解消可能な程度の第１扉体の回動を許容し、開口部全閉時から第１扉体のみが所定角度回動した時に第２扉体に対する第１扉体の回動を規制する、
ドア装置、である。
１つの態様では、開口部全閉時において、前記回動角度規制手段が設けられた隙間の第１側に位置して、第１扉体と第２扉体の一方の扉体の見付面から突出する突片が、他方の扉体の見込面に近接しており、前記隙間の第２側に位置して、第１扉体と第２扉体の一方の扉体の見込面に設けた気密部材が他方の扉体の見込面に密着している。
こうすることで、開口部全閉時に、回動角度規制手段が外部から見えることがなく意匠性が良好である。
１つの態様では、前記回動角度規制手段が設けられた隙間は、高さ方向に延びる見込面の間に形成された高さ方向に延びる隙間である。
１つの態様では、前記回動角度規制手段が設けられた隙間は、前記第１扉体の回動軸芯の近傍に位置している。
【０００７】
１つの態様では、前記回動角度規制手段は、第１扉体の見込面と第２扉体の見込面の一方の見込面に設けた第１要素と、他方の見込面に設けた第２要素とを備え、開口部全閉時に、前記第１要素及び前記第２要素は、前記隙間に位置しており、開口部全閉時から第１扉体のみが所定角度回動した時に前記第１要素と前記第２要素が当接して、第２扉体に対する第１扉体の回動が規制される。
１つの態様では、前記回動角度規制手段の前記第１要素及び前記第２要素は、前記第１扉体の回動軸芯の近傍の見込面に設けてある。
１つの態様では、前記第１要素は見込面に形成した受部であり、前記第２要素は見込面に突成した突部であり、
開口部全閉時には、前記突部は、前記受部内の第１の位置に位置しており、
第１扉体が閉鎖姿勢から所定角度回動すると、前記突部が、前記受部内の第２の位置に移動して当該受部の部分に当接することで、第２扉体に対する第１扉体の回動が規制される。
１つの態様では、前記受部は、見込面に形成された開口であり、前記受部の部分は、前記開口の縁である。
【０００８】
１つの態様では、前記第１要素は、第１扉体の見込面に形成された受部であり、前記第２要素は、第２扉体の見込面に形成された突部である。
１つの態様では、前記第１要素、前記第２要素は、高さ方向に延びる見込面の間に形成された高さ方向に延びる隙間に位置して前記高さ方向に延びる見込面に設けてある。
１つの態様では、第１扉体の見込面は、異なる高さの戸先側上面及び戸尻側上面と、戸先側上面の戸尻側端部と戸尻側上面の戸先側端部間で高さ方向に延びる上方中間見込面と、異なる高さの戸先側下面及び戸尻側下面と、戸先側下面の戸尻側端部と戸尻側下面の戸先側端部間で高さ方向に延びる下方中間見込面と、を含み、
第２扉体の見込面は、開口部全閉時に、前記第１扉体の上方中間見込面、下方中間見込面に隙間を存して対向する上方見込面、下方見込面、を含み、
前記回動角度規制手段の第１要素、第２要素の一方は前記第１扉体の上方中間見込面、下方中間見込面に設けられ、他方は前記第２扉体の上方見込面、下方見込面に設けられている。
【０００９】
１つの態様では、前記第１要素、前記第２要素は、高さ方向に延びる見込面に設けてあり、前記第２要素は、第１部分と第２部分とから断面視Ｌ形状を有しており、第２扉体に対して第１扉体が第１側に回動した状態において、前記第１扉体の見込面と前記第２扉体の見込面の間の隙間に、第２側から挿入可能な形状及び寸法となっており、
前記第２要素は、前記第１部分が前記第２扉体の見込面に当接し、前記第２部分が突部として、前記第１扉体の見込面の受部に挿入された状態で、前記第１部分が前記第２扉体の見込面に固定されている。
【００１０】
１つの態様では、前記第１扉体の見込面の第２側部位には気密部材が設けてあり、
前記第２要素は、第２扉体に対して第１扉体が第１側に回動した状態において、前記第１扉体の見込面に設けた前記気密部材と、前記第２扉体の見込面の第２側部位との間の空間から挿入可能な形状及び寸法となっており、
前記第２要素の第１部分は、螺子によって前記第２扉体の見込面の第２側部位に固定されており、
開口部全閉時には、前記気密部材が前記第２扉体の見込面の第２側部位に接触することで、前記螺子が隠蔽されている。
【００１１】
１つの態様では、前記第２扉体の見込面には、第２側部位から離間した部位に補強部材が固定されており、
前記補強部材は前記見込面から立ち上がる当接部を備えており、前記当接部の突出寸法は、開口部全閉時に、前記第１要素及び第２要素が位置する見込面間の隙間よりも小さく、前記当接部は、前記第２部分からなる突部の基端側部位の第１側に位置して、当該基端側部位に当接ないし当接可能な状態で近接している。
【００１２】
本発明が採用した他の技術手段は、
ドア枠により形成された開口部を開閉する扉を、第１扉体と第２扉体から構成し、
第１扉体の戸先側はドア枠の戸先側に係脱可能となっており、
第２扉体の戸尻側はドア枠の戸尻側に回動可能に装着されており、
第１扉体は第２扉体に回動可能に装着されており、
開口部全閉姿勢からの扉の開放初動時に扉開放の抵抗となる差圧が発生している場合には、第１扉体のみを第１側に回動させて差圧を解消するように構成されているドア装置において、
前記第１扉体の第１見込面と前記第２扉体の第２見込面は高さ方向に延びており、開口部全閉時には、前記第１見込面と前記第２見込面が対向して高さ方向に延びる隙間が形成されており、前記第１見込面と前記第２見込面のいずれか一方の見込面には受部が形成されており、
閉鎖姿勢にある第２扉体に対して第１扉体を第１側に回動させた状態として、前記第１扉体の第１見込面と前記第２扉体の第２見込面の隙間を拡開させて第２側に挿入空間を形成し、
突部を備えた回動角度規制部材を、前記挿入空間から前記第１見込面と前記第２見込面の間に挿入し、前記突部を前記一方の見込面の受部に挿入させた状態とし、前記回動角度規制部材を前記受部が形成されていない他方の見込面に固定する、
ドア装置における回動角度規制部材の取付方法、である。
１つの態様では、前記受部は、前記第１扉体の前記第１見込面に形成されており、
前記突部を形成する第１部分と、第２部分とから断面視Ｌ形状を有する前記回動角度規制部材を、前記挿入空間から前記第１見込面と前記第２見込面の間に挿入し、第１部分を第２見込面に当接させ、第２部分を第１見込面の受部に挿入させた状態とし、
前記回動角度規制部材の第１部分を前記第２見込面に螺子で固定する。
このような取付方法を採用することで、第１扉体を吊り込んだ後に、回動角度規制部材を第２扉体に後付けすることができる。
【発明の効果】
【００１３】
本発明では、差圧を解消可能な程度の第１扉体の回動を許容し、開口部全閉時から第１扉体のみが所定角度回動した時に第２扉体に対する第１扉体の回動を規制する回動角度規制手段を設けたことで、開口部全閉姿勢からの扉の開放初動時に扉開放の抵抗となる差圧が発生している場合には、第１扉体のみを所定角度だけ回動させて差圧を解消する一方、第１扉体の過度の回動を規制することで、扉開放時に操作性を向上させる。
回動角度規制手段は、第１扉体の見込面と第２扉体の見込面の間の隙間に位置して設けられるので、開口部全閉時及び第１扉体の回動時において、回動角度規制手段が扉の外部に露出することがなく、意匠性を確保した状態で第１扉体の開き角度を制限することができる。
【図面の簡単な説明】
【００１４】
【図１】第１実施形態に係るドア装置（開口部全閉状態）を第２空間側から見た正面図である。
【図２】第１実施形態に係るドア装置（開口部全閉状態）を第１空間側から見た正面図である。
【図３】図２においてＡ１から見た縦断面図である。
【図４】図２においてＡ２から見た縦断面図である。
【図５】図２においてＡ３から見た横断面図である。
【図６】図２においてＡ４から見た横断面図である。
【図７】（Ａ）は、図５においてＡ５から見た縦断面図であり、（Ｂ）は、図５においてＡ６から見た横断面図である。
【図８】回動角度規制部材を示す図である。
【図９】第２実施形態に係るドア装置（開口部全閉状態）を第２空間側から見た正面図である。
【図１０】第２実施形態に係るドア装置（開口部全閉状態）を第１空間側から見た正面図である。
【図１１】図１０においてＢ１から見た縦断面図である。
【図１２】図１０においてＢ２から見た縦断面図である。
【図１３】第２実施形態において、第１実施形態を示す図７に対応する図である。
【図１４】第２扉体に対して第１扉体が９０度回転した状態を示す図、さらに、回動角度が小さくなった図であり、第１扉体、第２扉体は図１０のＢ３−Ｂ３から見た横断面図で示している。
【図１５】回動角度規制部材の取り付けを示す図であり、第１扉体、第２扉体は図１０においてＢ３−Ｂ３から見た横断面図で示している。
【図１６】第１扉体と第２扉体が一体で回動した状態を示し、第１扉体、第２扉体は図１０においてＢ４から見た横断面図で示している。
【図１７】第１扉体のみが所定角度回動した状態を示し、第１扉体、第２扉体は図１０においてＢ４から見た横断面図で示している。
【図１８】図１７の状態から、第１扉体及び第２扉体が回動した状態示している。
【図１９】開口部全閉時の回動角度規制部材の納まりを示す部分拡大図である。
【図２０】回動角度規制部材によって第１扉体の回動が規制された状態を示す部分拡大図である。
【図２１】（Ａ）は図４の部分に対応する図、（Ｂ）は図１２の部分に対応する図であり、枠体の切り欠き部を示している。
【図２２】第２扉体に対して第１扉体が９０度回動した状態を示す横断面図であり、第１扉体の枠体の切り欠き部と第２扉体の角部の位置関係を示している。
【図２３】図２２の状態から第１扉体が閉鎖方向に所定角度回動した状態を示す横断面図であり、第１扉体の枠体の切り欠き部と第２扉体の角部の位置関係を示している。
【図２４】本発明に係るドア装置を両開き戸に適用した例を示す正面図である。
【図２５】（Ａ）は第１扉体と第２扉体を連結する電気錠を示す横断面図、（Ｂ）は点検用化粧カバー及び電気錠のラッチの解錠操作部を示す正面図である。
【発明を実施するための形態】
【００１５】
［Ａ］ドア装置の全体構成
本実施形態に係るドア装置は、第１空間と第２空間とを区画する躯体に設けられた開口部に設置される。ドア装置が設置される建物は、火災時に隣接室との間に圧力差を生じさせることで煙の侵入を防止する排煙設備や加圧防排煙設備等の煙制御手段を備えており、開口部全閉状態において、第１空間の圧力が第２空間の圧力よりも大きくなる場合がある。すなわち、本実施形態では、開口部全閉状態において、通常時には、第１空間と第２空間の気圧は略同じであるが、火災時等の非常時には、煙制御手段によって第１空間が第２空間に比べて高圧となる。本実施形態に係るドア装置は、差圧緩和機構を備えることで、第１空間と第２空間で気圧差が発生した場合であっても、扉の開放を円滑に行うことを可能とする。
【００１６】
本実施形態に係るドア装置において、ドア枠１により形成された開口部を開閉する扉は、戸先側に位置する第１扉体（戸先側扉体）２と戸尻側に位置する第２扉体（戸尻側扉体）３から構成されており、第１扉体２は第２扉体３に対して回動可能に装着されており、第２扉体３はドア枠１に対して回動可能に装着されている。本実施形態に係る扉（第１扉体２、第２扉体３）は、開口部全閉姿勢から第１空間側に回動することで、建物開口部を開放する開き戸である。本明細書において、扉が開く側を「第１空間側」ないし「第１側」とし、反対側を「第２空間側」ないし「第２側」とする。
【００１７】
ドア枠１は、戸先側縦枠１０と、戸尻側縦枠１１と、上枠１２と、下枠１３と、からなる縦長方形状の四周枠であり、縦長方形状の開口部を形成している。第１扉体２と第２扉体３は、第１扉体２が第２扉体３に対して閉鎖姿勢となって一体となった状態で縦長方形状の扉を形成し、縦長方形状の開口部を閉鎖する。
【００１８】
本実施形態に係るドア装置は、差圧緩和機構ないし差圧緩和手段を備えており、開口部全閉姿勢からの通常の扉の開放時には、第２扉体３に対する第１扉体２の回動が規制されて第１扉体２と第２扉体３が一体で回動可能し、開口部全閉姿勢からの扉の開放初動時に扉開放の抵抗となる差圧が発生している場合には、第１扉体２のみを先に回動させて差圧を解消し、その後第１扉体２と第２扉体３を回動させて開口部を開放するように構成されている。
【００１９】
本実施形態では、差圧緩和手段は、第１扉体に設けた第１部材と第２扉体に設けた第２部材からなる連結装置を備え、前記連結装置は、閉鎖姿勢にある第１扉体を第２扉体に連結可能となっている。前記連結装置は、通常時にはロック状態にあって、第２扉体に対する第１扉体の回動を規制して、第１扉体と第２扉体が一体で回動可能となっており、前記連結装置は、火災時等の非常時に生成される信号に基づいてロック状態が解除されて、第２扉体に対する第１扉体の回動を許容し、開口部全閉姿勢からの扉の開放初動時に、扉開放の抵抗となる差圧が発生している場合に、第１扉体のみが回動可能となっている。本実施形態に係る差圧緩和手段の詳細な構成は後述する。また、本発明に用いられ得る差圧緩和手段は、このような連結装置を用いるものに限定されるものではなく、例えば、公知の差圧緩和手段（例えば、特許文献１に開示されている差圧緩和機構）を用いてもよい。
【００２０】
本実施形態に係るドア装置は、開口部全閉姿勢から第１扉体２のみが所定角度回動した時に第１扉体２の回動を規制する回動角度規制手段を備えている。回動角度規制手段の詳細な説明は後述する。
【００２１】
［Ｂ］ドア装置の扉の構成（扉形状の第１実施形態）
図１は、本実施形態に係るドア装置を第２空間側から見た正面図、図２は同ドア装置を第１空間側から見た正面図であって、本実施形態に係るドア装置において、ドア枠１により形成された開口部を開閉する扉は、主として戸先側に位置する第１扉体（戸先側扉体）２と主として戸尻側に位置する第２扉体（戸尻側扉体）３から構成されており、第１扉体２は第２扉体３に対して回動可能に装着されており、第２扉体３はドア枠１に対して回動可能に装着されている。
【００２２】
第１扉体２は、第１空間に面する第１見付面２０と、第２空間に面する第２見付面２１と、垂直に延びる戸先側端面２２と、垂直に延びる戸尻側端面２３と、水平に延びる戸先側上面２４と、水平に延びる戸尻側上面２５と、戸先側上面２４の戸尻側端部と戸尻側上面２５の戸先側端部との間で垂直に延びる上方中間見込面２６と、水平に延びる戸先側下面２７と、水平に延びる戸尻側下面２８と、戸先側下面２７の戸尻側端部と戸尻側下面２８の戸先側端部との間で垂直に延びる下方中間見込面２９と、を備えている。戸先側端面２２の高さ寸法は、戸尻側端面２３の高さ寸法よりも大きく、戸先側上面２４は、戸尻側上面２５よりも上方に位置しており、戸先側下面２７は、戸尻側下面２８よりも下方に位置している。第１扉体２は、段状の上面（戸先側上面２４と戸尻側上面２５）と段状の下面（戸先側下面２７と戸尻側下面２８）を備えており、正面視において、いわば横向き凸形状を備えている。
【００２３】
第２扉体３は、第１空間に面する第１見付面３０と、第２空間に面する第２見付面３１と、垂直に延びる上方戸先側端面３２と、垂直に延びる下方戸先側端面３３と、垂直に延びる戸尻側端面３４と、水平に延びる上端面３５と、水平に延びる下端面３６と、を備え、戸先側端部から戸尻側に向かって横向き凸形状の開口が形成されている。図１に示すように、第２扉体３は、正面視において、上側部位３Ａ、下側部位３Ｂ、戸尻側部位３Ｃからコ字形状を有しており、上側部位３Ａ、下側部位３Ｂ、戸尻側部位３Ｃから囲まれた空間が横向き凸形状の開口となっており、正面視において、この開口の形状は、第１扉体２の形状と略同じであり、開口の寸法は、第１扉体２の寸法よりも僅かに大きい。
【００２４】
第２扉体３の上方戸先側端面３２が上側部位３Ａの戸先側端面、第２扉体３の上端面３５が上側部位３Ａの上面となり、上側部位３Ａの下面３７は、水平に延びる戸先側下面３７０と、戸先側下面３７０よりも低い位置で水平に延びる戸尻側下面３７１と、戸先側下面３７０の戸尻側端部と戸尻側下面３７１の戸先側端部との間で垂直に延びる上方中間見込面３７２とからなる。
【００２５】
第２扉体３の下方戸先側端面３３が下側部位３Ｂの戸先側端面、第２扉体３の下端面３６が下側部位３Ｂの下面となり、下側部位３Ｂの上面３８は、水平に延びる戸先側上面３８０と、戸先側上面３８０よりも高い位置で水平に延びる戸尻側上面３８１と、戸先側上面３８０の戸尻側端部と戸尻側上面３８１の戸先側端部との間で垂直に延びる下方中間見込面３８２とからなる。
【００２６】
第２扉体３の戸尻側端面３４が戸尻側部位３Ｃの戸尻側端面であり、戸尻側部位３Ｃは垂直に延びる戸先側端面３９を備えている。
【００２７】
第２扉体３において、上側部位３Ａの下面３７（戸先側下面３７０、戸尻側下面３７１、上方中間見込面３７２）と、下側部位３Ｂの上面３８（戸先側上面３８０、戸尻側上面３８１、下方中間見込面３８２）と、戸尻側部位３Ｃの戸先側端面３９から、第２扉体３の開口の周縁の見込面が形成されている。
【００２８】
第２扉体３の戸尻側部位（本実施形態では戸尻側端面３４）は、ドア枠１の戸尻側部位（本実施形態では戸尻側縦枠１１）に丁番１４によって回動可能に装着されている。第２扉体３は、戸尻側部位３Ｃの上端部位とドア枠１の上枠１２の戸尻側部位間に設けたドアクローザ１５によって、ドア枠１に対して閉鎖方向に付勢されている。図示の態様では、丁番１４によって第２扉体３の戸尻側部位は戸尻側縦枠１１に装着されているが、例えば、第２扉体３を、ピボットヒンジ（例えば中心吊型や持出吊型）を用いて上枠１２および下枠１３の戸尻側部位に回動可能に装着してもよい。
【００２９】
第１扉体２は、第２扉体３の開口を開閉可能なように第２扉体３に回動可能に装着されており、第１扉体２が第２扉体３に対して閉鎖姿勢となることで、第１扉体２と第２扉体３が一体となって一枚の扉（正面視長方形状）を形成するようになっている。第２扉体３に対して第１扉体２が閉鎖姿勢にある時には、第１扉体２の戸先側端面２２、第２扉体３の上方戸先側端面３２、下方戸先側端面３３が、同一垂直面上に位置して扉の戸先側端面となり、第２扉体３の上端面３５、下端面３６、戸尻側端面３４が、扉の上端面、下端面、戸尻側端面となっている。なお、本実施形態では、第１扉体２と第２扉体３の扉厚（見込寸法）は同じであるが、扉厚を異ならしめてもよい。
【００３０】
第１扉体２が第２扉体３に対して閉鎖姿勢にある時には、第１扉体２の周面、すなわち見込面（戸先側上面２４、戸尻側上面２５、上方中間見込面２６、戸先側下面２７、戸尻側下面２８、下方中間見込面２９、戸尻側端面２３）と第２扉体３の開口の周面、すなわち見込面（戸先側下面３７０、戸尻側下面３７１、上方中間見込面３７２、戸先側上面３８０、戸尻側上面３８１、下方中間見込面３８２、戸先側端面３９）は、それぞれ、隙間を存して近接対向している。
【００３１】
第１扉体２の第１見付面２０及び第２見付面２１の戸先側部位には、高さ方向の中間部位に位置してハンドルＨが設けてある。第１扉体２の戸先側部位にはラッチＬ１が内蔵されており、ラッチは戸先側端面２２から突出した係止姿勢と、戸先側端面２２内に退避した退避姿勢との間で移動可能である。ラッチＬ１は係止姿勢を保つように付勢されており、第１扉体２の閉鎖姿勢時には、ドア枠１の戸先側縦枠１０の見込面１００に形成されたラッチ受け１０００にラッチＬ１が係止することで、第１扉体２の閉鎖姿勢が維持される。ハンドルＨの操作によって、係止姿勢にあるラッチＬ１を退避姿勢とすることで、第１扉体２の戸先側の係止状態が解除され、第１扉体２の開放が可能となる。第１扉体２と第２扉体３が連結されて一体化さている場合には、ハンドルＨの操作でラッチＬ１の係止状態を解除させて、扉（第１扉体２＋第２扉体３）を開放させることができる。
【００３２】
第１扉体２の段状の上面（戸先側上面２４、戸尻側上面２５）、段状の下面（戸先側下面２７、戸尻側下面２８）の幅方向の略中央部位には、第１扉体２の回動軸芯Ｐを提供するヒンジクローザが設けてある。第１扉体２は、回動軸芯Ｐを中心として、第２扉体３に回動可能に装着されている。ヒンジクローザは、上側のヒンジ部Ｐ１と、下側のヒンジ部Ｐ２からなる。このようなヒンジクローザは当業者に良く知られているので、詳細な説明は省略する。なお、ピボットヒンジ（例えば中心吊型や持出吊型）で別に付勢力を備えた部品を設けてもよい。
【００３３】
図５に示すように、本実施形態では、第１扉体２の回動軸芯Ｐは、第１扉体２及び第２扉体３の厚さ方向の中央に対して第１空間側（第１見付面２０、第１見付面３０側）に偏倚している。第１扉体２の回動軸芯Ｐを第１空間側に偏倚させることで、開口部全閉時に、第１扉体２の第１見付面２０の突片２００の先端を第２扉体３の上方中間見込面３７２、下方中間見込面３８２に接触を回避しつつ近接させることができ、第１扉体２の上方中間見込面２６と第２扉体３の上方中間見込面３７２との間の隙間Ｇの第１空間側、第１扉体２の下方中間見込面２９と第２扉体３の下方中間見込面３８２との間の隙間Ｇの第１空間側を可及的に狭くできるようになっている。こうすることで、デザイン性（第１扉体２の第１見付面２０と第２扉体３の第１見付面３０の外観上の一体感が増す）、気密性を向上する。なお、本発明において、回動軸芯Ｐの扉の厚さ内における位置は、図示の態様に限定されるものではなく、また、第１扉体２の回動軸芯Ｐは、平面視において第１扉体２の厚さ内に位置するものに限定されない。
【００３４】
本実施形態では、回動軸芯Ｐは、第１扉体２の幅の略中央に位置している。本実施形態では、第１扉体２の戸先側上面２４の幅寸法は戸尻側上面２５の幅寸法よりも小さく、戸先側下面２７の幅寸法は戸尻側下面２８の幅寸法よりも小さい。第１扉体２は、上側のヒンジ部Ｐ１、下側のヒンジ部Ｐ２によって、戸尻側上面２５の戸先側部位、戸尻側下面２８の戸先側部位が、第２扉体３の上側部位３Ａの下面３７の戸尻側下面３７１の戸先側部位、下側部位３Ｂの上面３８の戸尻側上面３８１の戸先側部位に対して回動可能に装着されている。第１扉体２の回動軸芯Ｐは、第１扉体２の上方中間見込面２６と第２扉体３の上方中間見込面３７２との隙間、第１扉体２の下方中間見込面２９と第２扉体３の下方中間見込面３８２との隙間の近傍に位置している。なお、本実施形態では、回動軸芯Ｐは、第１扉体２の幅の中央に位置しているが、回動軸芯Ｐの位置は、第１扉体２の幅方向中央に対して戸先側あるは戸尻側に偏倚していてもよい。
【００３５】
第１扉体２は第２扉体３に対する閉鎖姿勢を維持する方向（閉鎖方向）に付勢されている。本実施形態では、ヒンジクローザは第１扉体２を閉鎖方向に付勢するスプリングを備えたヒンジクローザであり、第１扉体２の閉鎖手段としても機能する。より具体的には、上下の少なくともいずれか一方のヒンジ部（図示の態様では、下側のヒンジ部Ｐ２）には第１扉体２の閉鎖手段を構成するスプリングが内蔵されており、スプリングによって第１扉体２は閉鎖方向に付勢されている。本実施形態では、第１扉体２（ヒンジクローザ）の閉鎖力は、第２扉体３（ドアクローザ１５）の閉鎖力よりも大きく設定されているが、これには限定されない。本実施形態では、第１扉体２の閉鎖手段はヒンジクローザに内蔵されているが、第１扉体２の回動部（ヒンジ）とは独立して閉鎖手段を設けてもよい。
【００３６】
本実施形態において、下側のヒンジ部Ｐ２には、ヒンジクローザのトルクや速度調整機構が内蔵されており、第１扉体２の第１見付面２０には、下側のヒンジ部Ｐ２に位置して方形の開口が形成されており、開口にはスチール製あるいはステンレス製のカバープレートＣが螺子によって着脱可能に固定されている（図２参照）。特にスチール製のカバープレートＣは、扉の塗装色に合わせて塗装することができ意匠性が良好である。カバープレートＣは螺子で固定されているため、樹脂製キャップを開口に嵌め込むような場合に比べて、第１扉体２の第１見付面２０から脱落することがない。
【００３７】
本実施形態に係るドア装置の気密構造について説明する。ドア枠１は、閉鎖姿勢にある扉（第１扉体２、第２扉体３）の三方（戸先側部位、戸尻側部位、上側部位）の周縁部位が当接する戸当たり部を備えている。より具体的には、図５に示すように、戸先側縦枠１０において、閉鎖姿勢にある扉の戸先側端面（すなわち、第１扉体２の戸先側端面２２、第２扉体３の戸先側端面３２、３３）が近接対向する見込面１００の第２空間側には、第１空間に向かって開口する溝部が開口高方向に亘って形成されており、溝部には戸先側気密部材（気密ゴム）Ｓ１が設けてある。
【００３８】
戸尻側縦枠１１において、閉鎖姿勢にある第２扉体３の戸尻側端面３４が近接対向する見込面１１０の第２空間側には、第１空間に向かって開口する溝部が開口高方向に亘って形成されており、溝部には戸尻側気密部材（気密ゴム）Ｓ２が設けてある。
【００３９】
図３、図４に示すように、上枠１２において、閉鎖姿勢にある第２扉体３の上端面３５が近接対向する下面１２０の第２空間側には、第１空間に向かって開口する溝部が開口幅方向に亘って形成されており、溝部には上側気密部材（気密ゴム）Ｓ３が設けてある。
【００４０】
開口部全閉時において、扉の三方（戸先側、戸尻側、上側）の周縁、具体的には、第１扉体２の第２見付面２１及び第２扉体の第２見付面３１の戸先側部位、第２扉体３の第２見付面３１の戸尻側部位、第２扉体３の上側部位が、戸先側気密ゴムＳ１、戸尻側気密ゴムＳ２、上側気密ゴムＳ３に密着する。
【００４１】
第２扉体３の下方部位には、扉が全閉姿勢となった時に、第２扉体３の下端面３６を越えて下方に突出する気密部材Ｓ４が設けてあり、開口部全閉時において、第２扉体３の下端面３６から下方に突出する気密部材Ｓ４が、下枠１３の上面１３０に密着するようになっている（図３、図４参照）。したがって、開口部全閉時には、開口部の四周に亘って連続状に気密構造が形成される。
【００４２】
本実施形態に係る扉は、開口部全閉時において、第１扉体２の周面すなわち見込面（戸先側上面２４、戸尻側上面２５、上方中間見込面２６、戸先側下面２７、戸尻側下面２８、下方中間見込面２９、戸尻側端面２３）と第２扉体３の周面すなわち見込面（戸先側下面３７０、戸尻側下面３７１、上方中間見込面３７２、戸先側上面３８０、戸尻側上面３８１、下方中間見込面３８２、戸先側端面３９）との隙間に位置して、周縁枠（第１枠９０〜第７枠９６）が設けてある（図１参照）。本実施形態に係る周縁枠は、第１扉体２に設けた周縁枠（第２枠９１、第３枠９２、第５枠９４、第６枠９５、第７枠９６）と、第２扉体３に設けた周縁枠（第１枠９０、第４枠９３）と、からなる。
【００４３】
第１枠９０〜第７枠９６には、それぞれ気密部材（気密ゴム）Ｓ５〜Ｓ１１が取り付けられており、気密部材Ｓ５〜Ｓ１１によって上記隙間を連続状に塞ぐようになっている。第１枠９０〜第７枠９６は、隙間に沿って延びる凹溝を形成しており、凹溝には気密部材Ｓ５〜Ｓ１１が嵌め込まれており、開口部全閉時に、第１扉体２と第２扉体３の間の隙間を塞ぐようになっている。以下、より具体的に説明する。
【００４４】
図３に示すように、第１枠９０は、第２扉体３の上側部位３Ａの戸先側下面３７０に沿って戸先側下面３７０から下方に突出するように設けてあり、第１枠９０の凹溝には、気密部材Ｓ５が設けてある。第１扉体２の戸先側上面２４の第２空間側部位は、水平面２１１と垂直面２１２からなる凹み部となっており、開口部全閉時には、第１枠９０の下半部位は凹み部に位置しており、第１枠９０と凹み部からあいじゃくり部が形成されており、気密部材Ｓ５が第２扉体３の戸先側下面３７０及び第１扉体２の垂直面２１２に密着することで、第１扉体２の戸先側上面２４と第２扉体３の戸先側下面３７０との隙間の第２側部位を塞ぐようになっている。第１枠９０は、第２扉体３の厚さ内に納まっており、第２見付面３１から突出しない。
【００４５】
図５に示すように、第２枠９１は、第１扉体２の上方中間見込面２６に沿って上方中間見込面２６から戸尻側に突出するように設けてあり、第２枠９１の凹溝には、気密部材Ｓ６が設けてある。開口部全閉時には、第１扉体２の上方中間見込面２６と第２扉体３の上方中間見込面３７２との間には隙間Ｇが形成されており、第２枠９１は隙間Ｇに位置しており、気密部材Ｓ６が第２扉体３の上方中間見込面３７２に密着することで、隙間Ｇの第２側部位を塞ぐようになっている。第１扉体２の第１見付面２０は、上方中間見込面２６を越えて突出する突片２００となっており、開口部全閉時には、突片２００の先端が、第２扉体３の上方中間見込面３７２に近接するようになっている。本実施形態では、隙間Ｇに位置して回動角度規制部材８及び補強部材（８３、８４）が設けてあり、開口部全閉状態において、回動角度規制部材８の第２部分８１及び補強部材の第２部分８４が第２枠９１の見付面、突片２００に対向することで、あいじゃくり構造が形成される。第２枠９１は、第１扉体２の厚さ内に納まっており、第２見付面２１から突出しない。
【００４６】
図４に示すように、第３枠９２は、第１扉体２の戸尻側上面２５に沿って戸尻側上面２５から上方に突出するように設けてあり、第３枠９２の凹溝には、気密部材Ｓ７が設けてある。第２扉体３の戸尻側下面３７１の第２空間側部位は、水平面３１２と垂直面３１３からなる凹み部となっており、開口部全閉時には、第３枠９２の上半部位は凹み部に位置しており、第３枠９２と凹み部からあいじゃくり部が形成されており、気密部材Ｓ７が第１扉体２の戸尻側上面２５及び第２扉体３の垂直面３１３に密着することで、第１扉体２の戸尻側上面２５と第２扉体３の戸尻側下面３７１との隙間の第２側部位を塞ぐようになっている。第３枠９２は、第１扉体２の厚さ内に納まっており、第２見付面２１から突出しない。
【００４７】
図３に示すように、第４枠９３は、第２扉体３の下側部位３Ｂの戸先側上面３８０に沿って戸先側上面３８０から上方に突出するように設けてあり、第４枠９３の凹溝には、気密部材Ｓ８が設けてある。第１扉体２の戸先側下面２７の第２空間側部位は、水平面２１３と垂直面２１４からなる凹み部となっており、開口部全閉時には、第４枠９３の上半部位は凹み部に位置しており、第４枠９３と凹み部からあいじゃくり部が形成されており、気密部材Ｓ８が第２扉体３の戸先側上面３８０及び第１扉体２の垂直面２１４に密着することで、第１扉体２の戸先側下面２７と第２扉体３の戸先側上面３８０との隙間の第２側部位を塞ぐようになっている。第４枠９３は、第２扉体３の厚さ内に納まっており、第２見付面３１から突出しない。
【００４８】
第５枠９４は、第２扉体３の下方中間見込面２９に沿って下方中間見込面２９から戸尻側に突出するように設けてあり、第５枠９４の凹溝には、気密部材Ｓ９が設けてある（図７（Ａ）参照）。第５枠９４は、第２扉体３の厚さ内に納まっており、第２見付面３１から突出しない。開口部全閉時には、第１扉体２の下方中間見込面２９と第２扉体３の下方中間見込面３８２との間には隙間Ｇが形成されており、第５枠９４は隙間Ｇに位置しており、気密部材Ｓ９が第２扉体３の下方中間見込面３８２に密着することで、隙間Ｇの第２側部位を塞ぐようになっている。第１扉体２の第１見付面２０は、下方中間見込面２９を越えて突出する突片２００となっており、開口部全閉時には、突片２００の先端が、第２扉体３の下方中間見込面３８２に近接するようになっている。本実施形態では、隙間Ｇに位置して回動角度規制部材８及び補強部材が設けてあり、開口部全閉状態において、回動角度規制部材８の第２部分８１及び補強部材の第２部分８４が第５枠９４の見付面、突片２００に対向することで、あいじゃくり構造が形成される。
【００４９】
図４に示すように、第６枠９５は、第１扉体２の戸尻側下面２８に沿って戸尻側下面２８から下方に突出するように設けてあり、第６枠９５の凹溝には、気密部材Ｓ１０が設けてある。第２扉体３の戸尻側上面３８１の第２空間側部位は、水平面３１４と垂直面３１５からなる凹み部となっており、開口部全閉時には、第６枠９５の下半部位は凹み部に位置しており、第６枠９５と凹み部からあいじゃくり部が形成されており、気密部材Ｓ１０が第１扉体２の戸尻側下面２８及び第２扉体３の垂直面３１５に密着することで、第１扉体２の戸尻側下面２８と第３扉体３の戸尻側上面３８１との隙間の第２側部位を塞ぐようになっている。第６枠９５は、第１扉体２の厚さ内に納まっており、第２見付面２１から突出しない。
【００５０】
図６に示すように、第１扉体２の第２見付面２１は、戸尻側端面２３を越えて戸尻側に突出する突片２１０となっており、第７枠９６は、突片２１０の基端側かつ戸尻側端面２３の戸尻側に位置して戸尻側端面２３に沿って延びるように設けてあり、第７枠９６の凹溝には、気密部材Ｓ１１が設けてある。第２扉体３の戸尻側部位３Ｃの戸先側端面３９の第２空間側部位は、見込面３１０と見付面３１１からなる凹み部となっており、開口部全閉時には、第７枠９６の戸尻側半部位は凹み部に位置しており、気密部材Ｓ１１が第１扉体２の戸尻側端面２３及び第２扉体３の見付面３１１に密着することで、第１扉体２の戸尻側端面２３と第２扉体３の戸尻側部位３Ｃの戸先側端面３９との隙間の第２側部位を塞ぐようになっている。第７枠９６は、第１扉体２の厚さ内に納まっており、第２見付面２１から突出しない。
【００５１】
開口部全閉時には、突片２１０の先端が、凹み部の見付面３１１に対向して延び、凹み部の見込面３１０に近接するようになっている。第２扉体３の第１見付面３０は、戸尻側部位３Ｃ戸先側端面３９を越えて戸先側に突出する突片３００となっており、第１扉体２の戸尻側端面２３の第１空間側部位は、見込面２０１と見付面２０２からなる凹み部となっており、開口部全閉時には、突片３００の先端が、凹み部の見付面２０２に対向して延び、凹み部の見込面２０１に近接するようになっている。開口部全閉時に、第１扉体２の戸尻側端面２３と第２扉体３の戸先側端面３９との間に形成される隙間において、第１側部位には、第２扉体３の突片３００と第１扉体２の凹み部の見付面２０２からあいじゃくり部が形成され、第２側部位には、第１扉体２の突片２１０と第２扉体３の凹み部の見付面３１１からあいじゃくり部が形成されている。
【００５２】
［Ｃ］ドア装置の扉の構成（扉形状の第２実施形態）
図９〜図１７を参照しつつ、第１扉体２、第２扉体３の形状の第２実施形態について説明する。図５、図６については、参照番号２２、２３、２６、３４、３９、３７２、９１、９６、Ｓ６、Ｓ１１を、それぞれ、２２´、２３´、２６´、３４´、３９´、３２´、９１´、９６´、Ｓ６´、Ｓ１１´に置き換えることで、第２実施形態に係る扉形状の説明に用いることができる。第１扉体２は、第１空間に面する第１見付面２０と、第２空間に面する第２見付面２１と、垂直に延びる戸先側端面２２´と、垂直に延びる戸尻側端面２３´と、水平に延びる戸先側上面２４´と、水平に延びる戸尻側上面２５´と、戸先側上面２４´の戸尻側端部と戸尻側上面２５´の戸先側端部との間で垂直に延びる上方中間見込面２６´と、水平に延びる戸先側下面２７´と、水平に延びる戸尻側下面２８´と、戸先側下面２７´の戸尻側端部と戸尻側下面２８´の戸先側端部との間で垂直に延びる下方中間見込面２９´と、を備えている。戸先側端面２２´の高さ寸法は、戸尻側端面２３´の高さ寸法よりも大きく、戸先側上面２４´は、戸尻側上面２５´よりも上方に位置しており、戸先側下面２７´は、戸尻側下面２８´よりも下方に位置している。第１扉体２は、段状の上面（戸先側上面２４´と戸尻側上面２５´）と段状の下面（戸先側下面２７´と戸尻側下面２８´）を備えており、正面視において、いわば横向き凸形状を備えている。
【００５３】
第２扉体３は、第１空間に面する第１見付面３０と、第２空間に面する第２見付面３１と、垂直に延びる上方戸先側見込面３２´と、垂直に延びる下方戸先側見込面３３´と、垂直に延びる戸尻側端面３４´と、水平に延びる上端面３５´と、水平に延びる下端面３６´と、を備えている。図９に示すように、第２扉体３は、正面視において、上側部位３Ａ´、下側部位３Ｂ´、戸尻側部位３Ｃ´からコ字形状を有しており、ドア枠１と、閉鎖姿勢の第２扉体３の上側部位３Ａ´、下側部位３Ｂ´、戸尻側部位３Ｃ´に囲まれた横向き凸形状の開口が形成され、正面視において、この開口の形状は、第１扉体２の形状と略同じであり、開口の寸法は、第１扉体２の寸法よりも僅かに大きい。
【００５４】
第２扉体３の上方戸先側見込面３２´が上側部位３Ａ´の戸先側端面、第２扉体３の上端面３５´が上側部位３Ａ´の上面となり、上側部位３Ａ´は水平に延びる下面３７´を備えている。第２扉体３の下方戸先側見込面３３´が下側部位３Ｂ´の戸先側端面、第２扉体３の下端面３６´が下側部位３Ｂ´の下面となり、下側部位３Ｂ´は水平に延びる上面３８´を備えている。第２扉体３の戸尻側端面３４´が戸尻側部位３Ｃ´の戸尻側端面であり、戸尻側部位３Ｃ´は垂直方向に延びる戸先側端面３９´を備えている。
【００５５】
第２扉体３の戸尻側部位（本実施形態では戸尻側端面３４´）は、ドア枠１の戸尻側部位（本実施形態では戸尻側縦枠１１）に丁番１４によって回動可能に装着されている。第２扉体３は、戸尻側部位３Ｃ´の上端部位とドア枠１の上枠１２の戸尻側部位間に設けたドアクローザ１５によって、ドア枠１に対して閉鎖方向に付勢されている。図示の態様では、第２扉体３の戸尻側部位は戸尻側縦枠１１に装着されているが、例えば、第２扉体３を、ヒンジクローザを用いて上枠１２および下枠１３の戸尻側部位に回動可能に装着してもよい。
【００５６】
第１扉体２は、第２扉体３の開口を開閉可能なように第２扉体３に回動可能に装着されており、第１扉体２が第２扉体３に対して閉鎖姿勢となることで、第１扉体２と第２扉体３が一体となって一枚の扉（正面視長方形状）を形成するようになっている。第２扉体３に対して第１扉体２が閉鎖姿勢にある時には、第１扉体２の戸先側端面２２´、第２扉体３の戸尻側端面３４´が扉の戸先側端面、戸尻側端面となっており、第１扉体２の戸先側上面２４´と第２扉体３の上端面３５´が扉の上端面となり、第１扉体２の戸先側下面２７´と第２扉体３の下端面３６´が扉の下端面となっている。なお、本実施形態では、第１扉体２と第２扉体３の扉厚（見込寸法）は同じであるが、扉厚を異ならしめてもよい。
【００５７】
第１扉体２が第２扉体３に対して閉鎖姿勢にある時には、第１扉体２の周面すなわち見込面（上方中間見込面２６´、下方中間見込面２９´、戸尻側上面２５´、戸尻側下面２８´、戸尻側端面２３´）と第２扉体３の周面すなわち見込面（上方戸先側見込面３２´、下方戸先側見込面３３´、上側部位３Ａ´の下面３７´、下側部位３Ｂ´の上面３８´、戸尻側部位３Ｃ´の戸先側端面３９´）は、それぞれ、隙間を存して近接対向している。
【００５８】
第１扉体２の第１見付面２０及び第２見付面２１の戸先側部位には、高さ方向の中間部位に位置してハンドルＨが設けてある。第１扉体２の戸先側部位にはラッチＬ１が内蔵されており、ラッチは戸先側端面２２から突出した係止姿勢と、戸先側端面２２内に退避した退避姿勢との間で移動可能である。ラッチＬ１は係止姿勢を保つように付勢されており、第１扉体２の閉鎖姿勢時には、ドア枠１の戸先側縦枠１０の見込面１００に形成されたラッチ受け（図１６、図１７では図示せず）にラッチＬ１が係止することで、第１扉体２の閉鎖姿勢が維持される。ハンドルＨの操作によって、係止姿勢にあるラッチＬ１を退避姿勢とすることで、第１扉体２の戸先側の係止状態が解除され、第１扉体２の開放が可能となる。第１扉体２と第２扉体３が連結されて一体化さている場合には、ハンドルＨの操作でラッチＬ１の係止状態を解除させて、扉（第１扉体２＋第２扉体３）を開放させることができる。
【００５９】
第１扉体２は、戸尻側上面２５´、戸尻側下面２８´において、ヒンジクローザによって第２扉体３の上側部位３Ａ´の下面３７´、下側部位３Ｂ´の上面３８´に対して回動可能に装着されている。第１扉体２は第２扉体３に対する閉鎖姿勢を維持する方向（閉鎖方向）に付勢されている。
【００６０】
図１０に示すように、本実施形態では、第１扉体２の回動軸芯Ｐは、第１扉体２及び第２扉体３の厚さ方向の中央に対して第１空間側（第１見付面２０、第１見付面３０側）に偏倚している。第１扉体２の回動軸芯Ｐを第１空間側に偏倚させることで、開口部全閉時に、第１扉体２の第１見付面２０の突片２００の先端を第２扉体３の上方戸先側見込面３２´、下方戸先側見込面３３´に接触を回避しつつ近接させることができ、第１扉体２の上方中間見込面２６´と第２扉体３の上方戸先側見込面３２´との間の隙間Ｇの第１空間側、第１扉体２の下方中間見込面２９´と第２扉体３の下方戸先側見込面３３´との間の隙間Ｇの第１空間側を可及的に狭くできるようになっている。こうすることで、デザイン性（第１扉体２の第１見付面２０と第２扉体３の第１見付面３０の外観上の一体感が増す）、気密性を向上する。なお、本発明において、回動軸芯Ｐの扉の厚さ内における位置は、図示の態様に限定されるものではなく、また、第１扉体２の回動軸芯Ｐは、平面視において第１扉体２の厚さ内に位置するものに限定されない。
【００６１】
本実施形態では、回動軸芯Ｐは、第１扉体２の幅の略中央に位置している。本実施形態では、第１扉体２の戸先側上面２４´の幅寸法は戸尻側上面２５´の幅寸法よりも小さく、戸先側下面２７´の幅寸法は戸尻側下面２８´の幅寸法よりも小さい。第１扉体２は、上側のヒンジ部Ｐ１、下側のヒンジ部Ｐ２によって、戸尻側上面２５´の戸先側部位、戸尻側下面２８´の戸先側部位が、第２扉体３の上側部位３Ａ´の下面３７´の戸先側部位、下側部位３Ｂ´の上面３８´の戸先側部位に対して回動可能に装着されている。第１扉体２の回動軸芯Ｐは、第１扉体２の上方中間見込面２６´と第２扉体３の上方戸先側見込面３２´との隙間、第１扉体２の下方中間見込面２９´と第２扉体３の下方戸先側見込面３３´との隙間の近傍に位置している。なお、本実施形態では、回動軸芯Ｐは、第１扉体２の幅の中央に位置しているが、回動軸芯Ｐの位置は、第１扉体２の幅方向中央に対して戸先側あるは戸尻側に偏倚していてもよい。
【００６２】
第１扉体２は第２扉体３に対する閉鎖姿勢を維持する方向（閉鎖方向）に付勢されている。本実施形態では、ヒンジクローザは第１扉体２を閉鎖方向に付勢するスプリングを備えたヒンジクローザであり、第１扉体２の閉鎖手段としても機能する。より具体的には、上下の少なくともいずれか一方のヒンジ部（図示の態様では、下側のヒンジ部Ｐ２）には第１扉体２の閉鎖手段を構成するスプリングが内蔵されており、スプリングによって第１扉体２は閉鎖方向に付勢されている。本実施形態では、第１扉体２（ヒンジクローザ）の閉鎖力は、第２扉体３（ドアクローザ１５）の閉鎖力よりも大きく設定されているが、これには限定されない。本実施形態では、第１扉体２の閉鎖手段はヒンジクローザに内蔵されているが、第１扉体２の回動部（ヒンジ）とは独立して閉鎖手段を設けてもよい。
【００６３】
本実施形態に係るドア装置の気密構造について説明する。ドア枠１は、閉鎖姿勢にある扉（第１扉体２、第２扉体３）の三方（戸先側部位、戸尻側部位、上側部位）の周縁部位が当接する戸当たり部を備えている。より具体的には、図１６に示すように、戸先側縦枠１０において、閉鎖姿勢にある扉の戸先側端面（すなわち、第１扉体２の戸先側端面２２´）が近接対向する見込面１００の第２空間側には、第１空間に向かって開口する溝部が開口高方向に亘って形成されており、溝部には戸先側気密部材（気密ゴム）Ｓ１´が設けてある。戸尻側縦枠１１において、閉鎖姿勢にある第２扉体３の戸尻側端面３４´が近接対向する見込面１１０の第２空間側には、第１空間に向かって開口する溝部が開口高方向に亘って形成されており、溝部には戸尻側気密部材（気密ゴム）Ｓ２´が設けてある。図１１、図１２に示すように、上枠１２において、閉鎖姿勢にある第１扉体２の戸先側上面２４´、第２扉体３の上端面３５´が近接対向する下面１２０の第２空間側には、第１空間に向かって開口する溝部が開口幅方向に亘って形成されており、溝部には上側気密部材（気密ゴム）Ｓ３´が設けてある。
【００６４】
開口部全閉時において、扉の三方（戸先側、戸尻側、上側）の周縁、具体的には、第１扉体２の第２見付面２１及び第２扉体の第２見付面３１の戸先側部位、第２扉体３の第２見付面３１の戸尻側部位、第２扉体３の上側部位が、戸先側気密ゴムＳ１´、戸尻側気密ゴムＳ２´、上側気密ゴムＳ３´に密着する。
【００６５】
第１扉体２の下方部位及び第２扉体３の下方部位には、第１扉体２の戸先側下面２７´、第２扉体３の下端面３６´を越えて下方に突出する気密部材Ｓ４´が設けてあり、開口部全閉時において、気密部材Ｓ４´が、下枠１３の上面１３０に密着するようになっている（図１１、図１２参照）。したがって、開口部全閉時には、開口部の四周に亘って連続状に気密構造が形成される。
【００６６】
本実施形態に係る扉は、開口部全閉姿勢において、第１扉体２の周面すなわち見込面（戸尻側上面２５´、上方中間見込面２６´、戸尻側下面２８´、下方中間見込面２９´、戸尻側端面２３´）と第２扉体３の周面すなわち見込面（下面３７´、上方戸先側見込面３２´、上面３８´、下方戸先側見込面３３´、戸先側端面３９´）との隙間に位置して、周縁枠（第１枠９１´、第２枠９２´、第３枠９４´、第４枠９５´、第５枠９６´）が設けてある（図１４参照）。本実施形態に係る周縁枠は、全て第１扉体２に設けてある。
【００６７】
第１枠９１´、第２枠９２´、第３枠９４´、第４枠９５´、第５枠９６´には、それぞれ気密部材Ｓ６´、Ｓ７´、Ｓ９´、Ｓ１０´、Ｓ１１´が取り付けられており、気密部材Ｓ６´、Ｓ７´、Ｓ９´、Ｓ１０´、Ｓ１１´によって上記隙間を連続状に塞ぐようになっている。第１枠９１´、第２枠９２´、第３枠９４´、第４枠９５´、第５枠９６´、及び、気密部材Ｓ６´、Ｓ７´、Ｓ９´、Ｓ１０´、Ｓ１１´は、第１実施形態に係る第２枠９１、第３枠９２、第５枠９４、第６枠９５、第７枠９６、気密部材Ｓ６、Ｓ７、Ｓ９、Ｓ１０、Ｓ１１に対応している。
【００６８】
第１枠９１´は、第１扉体２の上方中間見込面２６´に沿って上方中間見込面２６´から戸尻側に突出するように設けてあり、第１枠９１´の凹溝には、気密部材Ｓ６´が設けてある。開口部全閉時には、第１扉体２の上方中間見込面２６´と第２扉体３の上方戸先側見込面３２´との間には隙間Ｇが形成されており、第１枠９１´は隙間Ｇに位置しており、気密部材Ｓ６´が第２扉体３の上方戸先側見込面３２´に密着することで、隙間Ｇの第２側部位を塞ぐようになっている。第１扉体２の第１見付面２０は、上方中間見込面２６´を越えて突出する突片２００となっており、開口部全閉時には、突片２００の先端が、第２扉体３の上方戸先側見込面３２´に近接するようになっている。本実施形態では、隙間Ｇに位置して回動角度規制部材８及び補強部材が設けてあり、開口部全閉状態において、回動角度規制部材８の第２部分８１及び補強部材の第２部分８４が第１枠９１´の見付面、突片２００に対向することで、あいじゃくり構造が形成される。第１枠９１´は、第１扉体２の厚さ内に納まっており、第２見付面２１から突出しない。
【００６９】
図１２に示すように、第２枠９２´は、第１扉体２の戸尻側上面２５´に沿って戸尻側上面２５´から上方に突出するように設けてあり、第２枠９２´の凹溝には、気密部材Ｓ７´が設けてある。第２扉体３の上側部位３Ａ´の下面３７´の第２空間側部位は、水平面３１２と垂直面３１３からなる凹み部となっており、開口部全閉時には、第２枠９２´の上半部位は凹み部に位置しており、第２枠９２´と凹み部からあいじゃくり部が形成されており、気密部材Ｓ７´が第１扉体２の戸尻側上面２５´及び第２扉体３の垂直面３１３に密着することで、第１扉体２の戸尻側上面２５´と第２扉体３の下面３７´との隙間の第２側部位を塞ぐようになっている。第２枠９２´は、第１扉体２の厚さ内に納まっており、第２見付面２１から突出しない。
【００７０】
図１３（Ａ）、図１４等に示すように、第３枠９４´は、第２扉体３の下方中間見込面２９´に沿って下方中間見込面２９´から戸尻側に突出するように設けてあり、第３枠９４´の凹溝には、気密部材Ｓ９´が設けてある。第３枠９４´は、第２扉体３の厚さ内に納まっており、第２見付面３１から突出しない。開口部全閉時には、第１扉体２の下方中間見込面２９´と第２扉体３の下方戸先側見込面３３´との間には隙間Ｇが形成されており、第３枠９４´は隙間Ｇに位置しており、気密部材Ｓ９´が第２扉体３の下方戸先側見込面３３´に密着することで、隙間Ｇの第２側部位を塞ぐようになっている。第１扉体２の第１見付面２０は、下方中間見込面２９´を越えて突出する突片２００となっており、開口部全閉時には、突片２００の先端が、第２扉体３の下方戸先側見込面３３´に近接するようになっている。本実施形態では、隙間Ｇに位置して回動角度規制部材８及び補強部材が設けてあり、開口部全閉状態において、回動角度規制部材８の第２部分８１及び補強部材の第２部分８４が第３枠９４´の見付面、突片２００に対向することで、あいじゃくり構造が形成される。
【００７１】
図１２に示すように、第４枠９５´は、第１扉体２の戸尻側下面２８´に沿って戸尻側下面２８´から下方に突出するように設けてあり、第４枠９５´の凹溝には、気密部材Ｓ１０´が設けてある。第２扉体３の下側部位３Ｂ´の上面３８´の第２空間側部位は、水平面３１４と垂直面３１５からなる凹み部となっており、開口部全閉時には、第４枠９５´の下半部位は凹み部に位置しており、第４枠９５´と凹み部からあいじゃくり部が形成されており、気密部材Ｓ１０´が第１扉体２の戸尻側下面２８´及び第２扉体３の垂直面３１５に密着することで、第１扉体２の戸尻側下面２８´と第３扉体３の上面３８´との隙間の第２側部位を塞ぐようになっている。第４枠９５´は、第１扉体２の厚さ内に納まっており、第２見付面２１から突出しない。
【００７２】
第１扉体２の第２見付面２１は、戸尻側端面２３´を越えて戸尻側に突出する突片２１０となっており、第５枠９６´は、突片２１０の基端側かつ戸尻側端面２３´の戸尻側に位置して戸尻側端面２３´にそって延びるように設けてあり、第５枠９６´の凹溝には、気密部材Ｓ１１´が設けてある。第２扉体３の戸尻側部位３Ｃ´の戸先側端面３９´の第２空間側部位は、見込面３１０と見付面３１１からなる凹み部となっており、開口部全閉時には、第５枠９６´の戸尻側半部位は凹み部に位置しており、気密部材Ｓ１１´が第１扉体２の戸尻側端面２３´及び第２扉体３の見付面３１１に密着することで、第１扉体２の戸尻側端面２３´と第２扉体３の戸尻側部位３Ｃ´の戸先側端面３９´との隙間の第２側部位を塞ぐようになっている。第５枠９６´は、第１扉体２の厚さ内に納まっており、第２見付面２１から突出しない。
【００７３】
開口部全閉時には、突片２１０の先端が、凹み部の見付面３１１に対向して延び、凹み部の見込面３１０に近接するようになっている。第２扉体３の第１見付面３０は、戸尻側部位３Ｃ´の戸先側端面３９´を越えて戸先側に突出する突片２１０となっており、第１扉体２の戸尻側端面２３´の第１空間側部位は、見込面２０１と見付面２０２からなる凹み部となっており、開口部全閉時には、突片３００の先端が、凹み部の見付面２０２に対向して延び、凹み部の見込面２０１に近接するようになっている。開口部全閉時に、第１扉体２の戸尻側端面２３´と第２扉体３の戸尻側部位３Ｃ´の戸先側端面３９´との間に形成される隙間において、第１側部位には、第２扉体３の突片３００と第１扉体２の凹み部の見付面２０２からあいじゃくり部が形成され、第２側部位には、第１扉体２の突片２１０と第２扉体３の凹み部の見付面３１１からあいじゃくり部が形成されている。
【００７４】
本実施形態に係る扉を構成する第１扉体２、第２扉体３の形状について、図１、図２及び図９、図１０に示す第１扉体２、第２扉体３に基づいて説明したが、第１扉体２は戸先側がドア枠１の戸先側縦枠１０に係脱可能であり、第２扉体３は戸尻側がドア枠の戸尻側部位に回動可能に装着されており、第１扉体２が第２扉体３に対して回動可能に装着されおり、開口部全閉時に、第１扉体２の見込面と第２扉体３の見込面の間に隙間が形成されており、隙間に位置して回動角度規制手段を設けることができるものであれば、第１扉体２、第２扉体３の形状は図示の形状に限定されない。
【００７５】
［Ｄ］連結装置
ドア装置は、閉鎖姿勢にある第１扉体２と第２扉体３を連結するための連結装置を備えている。上述のように、第１扉体２は第２扉体３に対して閉鎖姿勢を維持する方向に付勢されているが、連結装置がロック状態となることで、第２扉体３に対する第１扉体２の閉鎖姿勢が固定され、第２扉体３に対する第１扉体２の回動が規制される。通常時には、連結装置はロック状態にあり、第１扉体２は閉鎖姿勢で第２扉体３に固定されており、第１扉体２と第２扉体３は１枚の扉として一体で回動する。
【００７６】
連結装置は、火災時等の非常時に生成される信号に基づいてロック状態が解除されるように構成されており、ロック状態が解除されると（すなわち、第２扉体３に対する第１扉体２の固定状態が解除されると）、第２扉体３に対して第１扉体２の回動が可能となる。連結装置のロック状態が解除されると、開口部全閉姿勢からの扉の開放初動時に、第１扉体２のみが回動可能となる。
【００７７】
連結装置は、第１扉体２に設けた第１部材と第２扉体３に設けた第２部材からなり、第１部材と第２部材が固定されることで連結装置はロック状態となる。第１部材と第２部材は、第１扉体が第２扉体３に対して閉鎖姿勢にある時に互いに対向するように、第１扉体２、第２扉体３の所定部位にそれぞれ設けられる。
【００７８】
図１、図２に示す扉において、第１扉体２が第２扉体３に対して閉鎖姿勢にある時には、第１扉体２の周面すなわち見込面（戸先側上面２４、戸尻側上面２５、上方中間見込面２６、戸先側下面２７、戸尻側下面２８、下方中間見込面２９、戸尻側端面２３）と第２扉体３の開口の周面、すなわち、第２扉体３の見込面（戸先側下面３７０、戸尻側下面３７１、上方中間見込面３７２、戸先側上面３８０、戸尻側上面３８１、下方中間見込面３８２、戸尻側部位３Ｃの戸先側端面３９）は近接対向しており、近接対向する部位あるいはかかる部位の近傍に第１部材、第２部材がそれぞれ設けられる。
【００７９】
１つの態様では、少なくとも１つの第１部材が、第１扉体２の見込面（戸先側上面２４、戸尻側上面２５、上方中間見込面２６、戸先側下面２７、戸尻側下面２８、下方中間見込面２９、戸尻側端面２３）の少なくも１つの面の所定位置に設けられ、少なくとも１つの第２部材が、第２扉体３の見込面（戸先側下面３７０、戸尻側下面３７１、上方中間見込面３７２、戸先側上面３８０、戸尻側上面３８１、下方中間見込面３８２、戸尻側部位３Ｃの戸先側端面３９）の少なくとも１つの面の所定位置に設けられ、第１部材と第２部材は、第１扉体２が第２扉体３に対して閉鎖姿勢にある時に対向するような位置関係にある。
【００８０】
図９、図１０に示す扉において、第１扉体２が第２扉体３に対して閉鎖姿勢にある時には、第１扉体２の周面すなわち見込面（上方中間見込面２６´、下方中間見込面２９´、戸尻側上面２５´、戸尻側下面２８´、戸尻側端面２３´）と第２扉体３の周面すなわち見込面（上方戸先側見込面３２´、下方戸先側見込面３３´、上側部位３Ａ´の下面３７´、下側部位３Ｂ´の上面３８´、戸尻側部位３Ｃ´の戸先側端面３９´）は近接対向しており、近接対向する部位あるいはかかる部位の近傍に第１部材、第２部材がそれぞれ設けられる。
【００８１】
１つの態様では、少なくとも１つの第１部材が、第１扉体２の見込面（上方中間見込面２６´、下方中間見込面２９´、戸尻側上面２５´、戸尻側下面２８´、戸尻側端面２３´）の少なくも１つの面の所定位置に設けられ、少なくとも１つの第２部材が、第２扉体３の見込面（上方戸先側見込面３２´、下方戸先側見込面３３´、上側部位３Ａ´の下面３７´、下側部位３Ｂ´の上面３８´、戸尻側部位３Ｃ´の戸先側端面３９´）の少なくとも１つの面の所定位置に設けられ、第１部材と第２部材は、第１扉体２が第２扉体３に対して閉鎖姿勢にある時に対向するような位置関係にある。
【００８２】
本実施形態では、連結装置は電気錠から構成されており、第１部材と第２部材の組み合わせは、例えば、電気ストライクとラッチ錠の組み合わせ、モータ錠とストライクの組み合わせ、電磁石と磁性体の組み合わせから選択される。以下、連結装置の実施形態について説明する。
【００８３】
図６、図１６、図１７に示すように、連結装置は、第１扉体２に設けたラッチ錠４と、第２扉体３に設けた電気ストライク５と、からなる。第１扉体２の戸尻側部位には所定高さに位置してラッチ錠４が内蔵されており、ラッチ錠４のラッチＬ２は戸尻側端面２３、２３´から突出するように付勢されている。本実施形態では、ラッチ錠４は、シリンダ、サムターン、ハンドルを備えていない。
【００８４】
第２扉体３の戸尻側部位３Ｃ、３Ｃ´の戸先側端面３９、３９´には所定高さに位置して電気ストライク５が設けてあり、電気ストライク５には、第２扉体３内部を延びる電線６の一端が接続されており、電線６の他端側は、第２扉体３の戸尻側部位に設けた通電金具７、ドア枠１の戸尻側縦枠１１に設けた通電金具７´を通って躯体へと延びており、電源（図示せず）に接続されている。ラッチ錠４と電気ストライク５からなる連結装置は、火災検知信号が制御部に入力されることで、電気的に施錠状態（ロック状態）から解錠状態（ロック解除状態）に切り替わるようになっている。
【００８５】
１つの態様では、ラッチ錠４と電気ストライク５からなる連結装置は、停電時解錠タイプ（通電時施錠タイプ）として作動する。通常時には、電気ストライク５は通電状態にあり、ラッチ錠４のラッチＬ２と電気ストライク５が固定されてロック状態にあり、第２扉体３に対する第１扉体２の閉鎖姿勢が固定されており、第１扉体２と第２扉体３は一体で回動する（図１６参照）。
【００８６】
非常時に制御部が火災検知信号を受信すると、電気ストライク５への通電が遮断され（電源がＯＦＦ）、ラッチ錠４のラッチＬ２と電気ストライク５のロック状態が解除され、閉鎖姿勢にある第２扉体３に対して第１扉体２の回動が可能となり、閉鎖姿勢にある第１扉体２が回動することで、第１空間と第２空間を連通して、第１空間と第２空間の差圧を解消して、扉の円滑な開放を可能とする（図１７参照）。
【００８７】
１つの態様では、ラッチ錠４と電気ストライク５からなる連結装置は、停電時施錠タイプ（通電時解錠タイプ）として作動する。通常時には、電気ストライク５に非通電状態にあり、ラッチ錠４のラッチＬ２と電気ストライク５が固定されてロック状態にあり、第２扉体３に対する第１扉体２の閉鎖姿勢が固定されており、第１扉体２と第２扉体３は一体で回動する（図１６参照）。
【００８８】
非常時に制御部が火災検知信号を受信すると、電気ストライク５が通電状態となり（電源がＯＮ）、ラッチ錠４のラッチＬ２と電気ストライク５のロック状態が解除され、閉鎖姿勢にある第２扉体３に対して第１扉体２の回動が可能となり、閉鎖姿勢にある第１扉体２が回動することで、第１空間と第２空間を連通して、第１空間と第２空間の差圧を解消して、扉の円滑な開放を可能とする（図１７参照）。
【００８９】
連結装置は、第１扉体２に設けたストライク（図示せず）と、第２扉体３に設けたモータ錠（図示せず）と、からなるものでもよい。モータ錠とストライクからなる連結装置は、火災検知信号が制御部に入力されることで、電気的に施錠状態（ロック状態）から解錠状態（ロック解除状態）に切り替わるようになっており、閉鎖姿勢にある第２扉体３に対して第１扉体２の回動が可能となり、閉鎖姿勢にある第１扉体２が回動することで、第１空間と第２空間を連通して、第１空間と第２空間の差圧を解消して、扉の円滑な開放を可能とする。モータ錠とストライクからなる連結装置は、停電時解錠タイプ（通電時施錠タイプ）として作動しても、停電時施錠タイプ（通電時解錠タイプ）として作動してもよい。
【００９０】
連結装置は、第１扉体２に設けたストライクプレート（図示せず）と、第２扉体３に設けた電磁式ロック（図示せず）と、からなるものでもよい。電磁式ロックとストライクプレートからなる連結装置は、火災検知信号が制御部に入力されることで、電気的に施錠状態（ロック状態）から解錠状態（ロック解除状態）に切り替わるようになっており、閉鎖姿勢にある第２扉体３に対して第１扉体２の回動が可能となり、閉鎖姿勢にある第１扉体２が回動することで、第１空間と第２空間を連通して、第１空間と第２空間の差圧を解消して、扉の円滑な開放を可能とする。
【００９１】
上述の連結装置は、差圧緩和手段の好ましい態様の例示に過ぎないものであり、本発明の権利範囲を限定するものではなく、差圧緩和手段として他の手段（例えば、特許文献１に開示された手段、あるいは、第１扉体２と第２扉体３を連結するラッチを手動で解除して第１扉体２のみを開放可能とする等）を取り得る点に留意されたい。
【００９２】
［Ｅ］第１扉体の回動角度規制手段
本実施形態に係るドア装置は、開口部全閉姿勢から第１扉体２のみが所定角度回動した時に第１扉体２の回動を規制する回動角度規制手段を備えている。回動角度規制手段は、第１扉体２の見込面と第２扉体３の見込面の一方の見込面に設けた第１要素と、他方の見込面に設けた第２要素とを備え、開口部全閉時に、前記第１要素及び前記第２要素は、見込面間の隙間に位置しており、開口部全閉姿勢から第１扉体２のみが所定角度回動した時に前記第１要素と前記第２要素が当接して、第２扉体３に対する第１扉体２の回動が規制される。回動角度規制手段は、閉鎖姿勢にある第１扉体２が内外の圧力差を解消できる程度に回動することを許容する一方、操作性に影響を与えるような過度の回動を規制する。例えば、開口部全閉時に、第２扉体３に対して第１扉体２が２０度程度回動すれば、内外の圧力差は十分に解消できる。もちろん、第１扉体２が所定角度開くことで内外の圧力差が解消できればよく、２０度には限定されない。１つの態様では、第１扉体２の第２扉体３に対する最大回動角度は、例えば２０度以下である。第１扉体２の第２扉体３に対する最大回動角度は、２０度を越えてもよいが、例えば、９０度近くまで回動可能とすると、扉開放時の操作性が悪くなり、また、第１扉体２のみが大きく開くと開放側に人がいる場合に当たってしまうおそれもある。本実施形態では、第１扉体２と第２扉体３の対向する見込面間の隙間に位置して、回動角度規制手段を設けることで、開口部全閉時及び第１扉体２の回動時において、回動角度規制手段が外部に露出することがなく外観を損ねることがない（図１９、図２０参照）。
【００９３】
図１、図２に示す扉において、第１扉体２が第２扉体３に対して閉鎖姿勢にある時には、第１扉体２の周面すなわち見込面（戸先側上面２４、戸尻側上面２５、上方中間見込面２６、戸先側下面２７、戸尻側下面２８、下方中間見込面２９、戸尻側端面２３）と第２扉体３の開口の周面、すなわち、第２扉体３の見込面（戸先側下面３７０、戸尻側下面３７１、上方中間見込面３７２、戸先側上面３８０、戸尻側上面３８１、下方中間見込面３８２、戸尻側部位３Ｃの戸先側端面３９）は隙間を存して近接対向しており、近接対向する部位の一方に第１要素が設けられ、他方に第２要素が設けられる。
【００９４】
１つの態様では、少なくとも１つの第１要素が、第１扉体２の見込面（戸先側上面２４、戸尻側上面２５、上方中間見込面２６、戸先側下面２７、戸尻側下面２８、下方中間見込面２９、戸尻側端面２３）の少なくも１つの面の所定位置に設けられ、少なくとも１つの第２要素が、第２扉体３の見込面（戸先側下面３７０、戸尻側下面３７１、上方中間見込面３７２、戸先側上面３８０、戸尻側上面３８１、下方中間見込面３８２、戸尻側部位３Ｃの戸先側端面３９）の少なくとも１つの面の所定位置に設けられ、第１要素と第２要素は、第２扉体３に対して閉鎖姿勢にある第１扉体２が閉鎖姿勢から所定角度回動した時に、係わり合って（当接して）第１扉体２の回動を規制するように構成されている。第１扉体２と第２扉体３の対向する見込面に位置して上述の連結装置が設けられる場合には、回動角度規制手段は、連結装置が設けられた見込面とは異なる見込面に設けることが望ましい。
【００９５】
図９、図１０に示す扉において、第１扉体２が第２扉体３に対して閉鎖姿勢にある時には、第１扉体２の周面すなわち見込面（上方中間見込面２６´、下方中間見込面２９´、戸尻側上面２５´、戸尻側下面２８´、戸尻側端面２３´）と第２扉体３の周面すなわち見込面（上方戸先側見込面３２´、下方戸先側見込面３３´、上側部位３Ａ´の下面３７´、下側部位３Ｂ´の上面３８´、戸尻側部位３Ｃ´の戸先側端面３９´）は隙間を存して近接対向しており、近接対向する部位の一方に第１要素が設けられ、他方に第２要素が設けられる。
【００９６】
１つの態様では、少なくとも１つの第１要素が、第１扉体２の見込面（上方中間見込面２６´、下方中間見込面２９´、戸尻側上面２５´、戸尻側下面２８´、戸尻側端面２３´）の少なくも１つの面の所定位置に設けられ、少なくとも１つの第２要素が、第２扉体３の見込面（上方戸先側見込面３２´、下方戸先側見込面３３´、上側部位３Ａ´の下面３７´、下側部位３Ｂ´の上面３８´、戸尻側部位３Ｃ´の戸先側端面３９´）の少なくとも１つの面の所定位置に設けられ、第１要素と第２要素は、第２扉体３に対して閉鎖姿勢にある第１扉体２が閉鎖姿勢から所定角度回動した時に、係わり合って（当接して）第１扉体２の回動を規制するように構成されている。第１扉体２と第２扉体３の対向する見込面に位置して上述の連結装置が設けられる場合には、回動角度規制手段は、連結装置が設けられた見込面とは異なる見込面に設けることが望ましい。
【００９７】
本実施形態に係る回動角度規制手段は、第１扉体２の上方中間見込面２６、２６´と第２扉体３の上方中間見込面３７２、上方戸先側見込面３２´の間の隙間に位置する上側の回動角度規制手段と、第１扉体２の下方中間見込面２９、２９´と第２扉体３の下方中間見込面３８２、下方戸先側見込面３３´の間の隙間に位置する下側の回動角度規制手段とからなる。
【００９８】
上側の回動角度規制手段は、第１扉体２の上方中間見込面２６、２６´に設けた受部すなわち開口２６０と、第２扉体３の上方中間見込面３７２、上方戸先側見込面３２´に設けた回動角度規制部材８と、からなる。下側の回動角度規制手段は、第１扉体２の下方中間見込面２９、２９´に設けた受部すなわち開口２９０と、第２扉体３の下方中間見込面３８２、下方戸先側見込面３３´に設けた回動角度規制部材８と、からなる。
【００９９】
図８に示すように、回動角度規制部材８は、見込方向に延びる第１部分８０と見付方向に延びる第２部分８１とから断面視Ｌ形状を有する長尺部材である。第２部分８１の内面には緩衝材（樹脂製テープ等）８２が設けてある。第１部分８０には、第２部分８１から離間した側に、回動角度規制部材８を第２扉体３の上方中間見込面３７２、上方戸先側見込面３２´第２扉体３の下方中間見込面３８２、下方戸先側見込面３３´に固定する螺子８５用の挿通孔（皿孔）８００が形成されている。図７（Ｂ）、図１３（Ｂ）に示すように、回動角度規制部材８は、第１扉体２の上方中間見込面２６、２６´及び第２扉体３の上方中間見込面３７２、上方戸先側見込面３２´、第１扉体２の下方中間見込面２９、２９´及び第２扉体３の下方中間見込面３８２、下方戸先側見込面３３´の高さ寸法よりも少し低い高さ寸法を備えている。
【０１００】
回動角度規制部材８の第１部分８０が第２扉体３の上方中間見込面３７２、上方戸先側見込面３２´、下方中間見込面３８２、下方戸先側見込面３３´に固定されており、第２部分８１が第２扉体３の上方中間見込面３７２、上方戸先側見込面３２´、下方中間見込面３８２、下方戸先側見込面３３´から立ち上がる突部を形成し、第２部分８１の内面には緩衝材８２が位置する。
【０１０１】
回動角度規制部材８の第１部分８０の幅寸法は、第２扉体３の上方中間見込面３７２、上方戸先側見込面３２´、下方中間見込面３８２、下方戸先側見込面３３´の見込寸法よりも小さく、第１部分８０の先端を第２扉体３の第２見付面３１に近接させて螺子８５で第２扉体３の上方中間見込面３７２、上方戸先側見込面３２´、下方中間見込面３８２、下方戸先側見込面３３´に固定された状態において、第２部分８１は、上方中間見込面３７２、上方戸先側見込面３２´、下方中間見込面３８２、下方戸先側見込面３３´の見込方向の中央よりも第１見付面３０に寄った位置から立ち上がって見付方向に延びている。
【０１０２】
開口部全閉時に、第１扉体２の上方中間見込面２６、２６´と第２扉体３の上方中間見込面３７２、上方戸先側見込面３２´は隙間Ｇを存して対向しており、第１扉体２の開口２６０は隙間Ｇに面しており、第２扉体３の回動角度規制部材８は、隙間Ｇに位置して、第２部分８１が、開口２６０内の第１の位置に位置しており、第１扉体２が閉鎖姿勢から所定角度回動すると、第２部分８１が、開口２６０の第２の位置に移動して開口２６０の部分に当接することで、第２扉体３に対する第１扉体２の回動が規制される。
【０１０３】
開口２６０は縦長方形状であり、第１縦縁２６１と第２縦縁２６２を備えている。第２部分８１が第１の位置にある時には、開口２６０の第１縦縁２６１に近接ないし当接しており、第２部分８１が第２の位置まで回動した時に、開口２６０の第２縦縁２６２に当接する。すなわち、本実施形態では、第１扉体２が第２扉体３に対して所定角度回動した時に、回動角度規制部材８の第２部分８１が開口２６０の第２縦縁２６２に当接することで、第１扉体２のさらなる回動が規制される。第１扉体２の最大回動角度は、第１の位置にある第２部分８１と第２縦縁２６２との距離によって設定することができる。
【０１０４】
開口部全閉時に、第１扉体２の下方中間見込面２９、２９´と第２扉体３の下方中間見込面３８２、下方戸先側見込面３３´は隙間Ｇを存して対向しており、第１扉体２の開口２９０は隙間Ｇに面しており、第２扉体３の回動角度規制部材８は、隙間Ｇに位置して、第２部分８１が、開口２９０内の第１の位置に位置しており、第１扉体２が閉鎖姿勢から所定角度回動すると、第２部分８１が、開口２９０の第２の位置に移動して開口２９０の部分に当接することで、第２扉体３に対する第１扉体２の回動が規制される。
【０１０５】
開口２９０は縦長方形状であり、第１縦縁２９１と第２縦縁２９２を備えている。第２部分８１が第１の位置にある時には、開口２９０の第１縦縁２９１に近接ないし当接しており、第２部分８１が第２の位置まで回動した時に、開口２９０の第２縦縁２９２に当接する。すなわち、本実施形態では、第１扉体２が第２扉体３に対して所定角度回動した時に、回動角度規制部材８の第２部分８１が開口２９０の第２縦縁２９２に当接することで、第１扉体２のさらなる回動が規制される。第１扉体２の最大回動角度は、第１の位置にある第２部分８１と第２縦縁２９２との距離によって設定することができる。
【０１０６】
本実施形態において、図５、図１５、図１７、図１９に示すように、回動角度規制部材８は、第１扉体２の回動軸芯Ｐの近傍に位置して設けてある。回動角度規制部材８の第２部分８１と第１扉体２の回動軸芯Ｐの距離を短くすることで、回動角度規制部材８の第２部分８１が開口２６０、２９０の第２縦縁２６２、２９２に当接した時に、第２部分８１に作用する力を小さくし、回動角度規制部材８への負荷を小さくしている。
【０１０７】
第２扉体３の上方中間見込面３７２、上方戸先側見込面３２´、下方中間見込面３８２、下方戸先側見込面３３´には、第２側部位から離間した部位には、見込方向に延びる第１部分８３と見付方向に延びる第２部分８４とから断面視Ｌ形状を有する補強部材が固定されており、第２部分８４が第２扉体３の上方中間見込面３７２、上方戸先側見込面３２´、下方中間見込面３８２、下方戸先側見込面３３´から立ち上がる当接部を形成している。第２部分８４（当接部）の突出寸法は、開口部全閉時に形成される隙間Ｇよりも小さく（第２扉体３に対する第１扉体２の吊り込み作業に影響を与えない）、第２部分８４は、回動角度規制部材８の第２部分８１からなる突部の基端側部位の第１側に位置して、当該基端側部位に当接している。補強部材の第２部分８４は、回動角度規制部材８の第２部分８１が開口２６０、２９０の第２縦縁２６２、２９２に当接した時に、第２部分８１が変形しようとする方向の力に対抗して第２部分８１を補強する。
【０１０８】
図７（Ｂ）、図１３（Ｂ）に示すように、補強部材は、回動角度規制部材８の高さ寸法よりも少し高い高さ寸法を有しており、第１扉体２の上方中間見込面２６、２６´及び第２扉体３の上方中間見込面３７２、上方戸先側見込面３２´、第１扉体２の下方中間見込面２９、２９´及び第２扉体３の下方中間見込面３８２、下方戸先側見込面３３´の高さ寸法と略同じ高さ寸法を備えた長尺部材である。本実施形態では、隙間Ｇに位置して回動角度規制部材８及び補強部材が設けてあり、開口部全閉状態において、回動角度規制部材８の第２部分８１及び補強部材の第２部分８４が第５枠９４の見付面、突片２００に対向することで、あいじゃくり（ラビリンス）構造が形成されており、火災時に火炎や煙の流れを抵抗として機能する。
【０１０９】
図１４、図１５を参照しつつ、回動角度規制部材８の取り付けについて説明する。図１４、図１５では、第１扉体２、第２扉体３を、図１０のＢ３から見た横断面図で示している。吊元側が丁番１４によってドア枠１の戸尻側縦枠１１に固定された第２扉体３に対して、第１扉体２を吊り込む。この作業は、例えば、閉鎖姿勢にある第２扉体３に対して、第１扉体２を９０度程度まで開いた姿勢で行われる（図１４上図）。上下のヒンジ部Ｐ１、Ｐ２からなるヒンジクローザを用いた吊り込みは当業者に公知であるので、詳細な説明は省略する。このような第２扉体３に対する第１扉体２の吊り込み作業（閉鎖姿勢にある第２扉体３に対して、第１扉体２を９０度程度まで開いた状態とする）を考慮すると、吊り込み前に予め戸先側の扉体の回動角度を制限することは採用し難いことにも留意する必要がある。なお、第２扉体３の上方戸先側見込面３２´、下方戸先側見込面３３´には、予め補強部材（第１部分８３と第２部分８４からなる）が固定されている。
【０１１０】
図１４上図の状態から、第１扉体２の下方中間見込面２９´と第２扉体３の下方戸先側見込面３３´とが対向するように第１扉体２を閉じていき、第２扉体３に対する第１扉体２の回動角度を比較的小さくしつつ、第１扉体２の下方中間見込面２９´と第２扉体３の下方戸先側見込面３３´の第２空間側において、第１扉体２の下方中間見込面２９´に設けた第３枠９４´と気密部材Ｓ９´と、第２扉体３の下方戸先側見込面３３´との間に回動角度規制部材８の挿入空間を形成する（図１４下図）。
【０１１１】
この挿入空間から、断面視Ｌ形状の回動角度規制部材８を、第１扉体２の下方中間見込面２９´と第２扉体３の下方戸先側見込面３３´の間に差し込み（図１５上図）、回動角度規制部材８をさらに回転させながら差し込むことで、第１部分８０を第２扉体３の下方戸先側見込面３３´に当接させ、第２部分８１を第１扉体２の下方中間見込面２９´の開口２９０に挿入させた状態とする（図１５中央図）。この状態において、第１扉体２の回動範囲（開き角度）は制限されることになる。
【０１１２】
制限された回動範囲で第１扉体２が回動した状態（例えば、第１扉体２の最大回動姿勢）において、回動角度規制部材８の第１部分８０に形成した挿通孔８００及び第２扉体３の下方戸先側見込面３３´の第２側部位は、第１扉体２の下方中間見込面２９´に設けた第３枠９４´と気密部材Ｓ９´よりも第２空間側に位置している。また、第２部分８１の基端側部位の第１空間側は補強部材の第２部分（当接部）８４に当接している。補強部材の第２部分８４は、回動角度規制部材８を第２扉体３の下方戸先側見込面３３´に取り付ける際の位置決めとしても機能する。
【０１１３】
回動角度規制部材８の第１部分８０の挿通孔８００から螺子８５を螺入させることで、回動角度規制部材８の第１部分８０を第２扉体３の下方戸先側見込面３３´の第２側部位に固定する（図１５中央図）。開口部全閉時には、第１扉体２の下方中間見込面２９´に設けた気密部材Ｓ９´が第２扉体３の下方戸先側見込面３３´の第２側部位に接触することで、螺子８５の頭部が隠蔽される（図１５下図、図１９）。
【０１１４】
ここでは、回動角度規制部材８を、第１扉体２の下方中間見込面２９´と第２扉体３の下方戸先側見込面３３´の隙間Ｇに取り付けることについて説明したが、これらの記載は、第１扉体２の上方中間見込面２６と第２扉体３の上方中間見込面３７２の隙間Ｇ、第１扉体２の下方中間見込面２９と第２扉体３の下方中間見込面３８２の隙間Ｇ、第１扉体２の上方中間見込面２６´と第２扉体３の上方戸先側見込面３２´の隙間Ｇへの回動角度規制部材８の取り付けに援用することができる。
【０１１５】
［Ｆ］ドア装置の開放動作
本実施形態に係るドア装置の回動動作について説明する。図６は、閉鎖姿勢にあるドア装置の横断面図であり、第１扉体２及び第２扉体３は共に閉鎖姿勢（すなわち、開口部全閉姿勢）にある。第１扉体２の戸先側端面２２から突出するラッチＬ１がドア枠１の戸先側縦枠１０の見込面１００に形成されたラッチ受け１０００に係止しており、ロック状態にある連結装置によって、第１扉体２及び第２扉体３は閉鎖姿勢が固定されている。
【０１１６】
通常時には、第１空間と第２空間の気圧差は実質的にない。開口部全閉状態において、第１扉体２のハンドルＨを回すと、ハンドルＨの動作に連動して、突出したラッチＬ１が戸先側端面２２内に退避し、第１扉体２の戸先側端面２２のドア枠１の戸先側縦枠１０に対する係止状態が解除され、第１扉体２を第１空間側へ開放させることで、第１扉体２と第２扉体３が一体で、第１空間側へ開放して、開口部を開放する（図１６）。第２扉体３に対する第１扉体２の閉鎖姿勢は連結装置によって固定されているので、第１扉体２を急開放操作した場合であっても、第２扉体３に対して第１扉体２が不意に折れ曲がるように回動することがなく、第１扉体２（第２扉体３に対する閉鎖姿勢が維持されている）と第２扉体３が一体で回動する。開放した扉を自由にすると、扉はドアクローザ１５の付勢力で一体で閉鎖して開口部全閉状態に戻り、第１扉体２の戸先側端面２２から突出するラッチＬ１がドア枠１の戸先側縦枠１０の見込面１００に形成したラッチ受け１０００に係止する。
【０１１７】
火災時に、火災検知信号が入力されると、煙制御手段が作動して、第１空間が第２空間に比べて高圧となり、第１空間と第２空間との間に差圧が発生する。差圧によって、第１扉体２の第１見付面２０及び第２扉体３の第１見付面３０に圧力が作用しており、この圧力は、扉の開放動作（第１空間側へ回動することで建物開口部を開放する）の抵抗となる。
【０１１８】
火災検知信号が入力されると、連結装置への通電が遮断され、あるいは、連結装置へ通電することで、連結装置のロック状態が電気的に解除される。連結装置のロック状態が解除されることで、開口部全閉状態において、第２扉体３に対する第１扉体２の固定状態が解除され、第１扉体２のみの開放が可能な状態となる。
【０１１９】
この状態において、第１扉体２のハンドルＨを回すと、ハンドルＨの動作に連動して、突出したラッチＬ１が戸先側端面２２内に退避し、第１扉体２の戸先側端面２２のドア枠１の戸先側縦枠１０に対する係止状態を解除し、第１扉体２の開放が可能となる。第１扉体２が所定角度回動すると、第２扉体３の上方中間見込面３７２、上方戸先側見込面３２´、下方中間見込面３８２、下方戸先側見込面３３´に設けた回動角度規制部材８の第２部分８１が、第１扉体２の上方中間見込面２６、２６´及び下方中間見込面２９、２９´の開口２６０、２９０の第２縦縁２６２、２９２に当接して第２扉体３に対する第１扉体２の回動が規制される。
【０１２０】
第１扉体２のみを所定角度まで回動させることで、第１空間と第２空間が連通して、第１空間から第２空間へ空気が流れ、これによって、第１空間と第２空間との圧力差が小さくなることで、扉（第１扉体２＋第２扉体３）の第１空間側への回動が容易になる（図１７、図１８参照）。また、第１空間と第２空間との圧力差が小さくなることで、第１扉体２が閉鎖方向の付勢力によって第２扉体３の開口４を閉鎖する方向に回動する。第１空間と第２空間との圧力差が実質的に無くなると、第１扉体２は閉鎖方向への付勢力によって第２扉体３に対して閉鎖姿勢となって、第１扉体２と第２扉体３は一体として回動する。開放した第１扉体２のハンドルＨから手を離して自由にすると、第１扉体２及び第２扉体３は、ドアクローザ１５の閉鎖力によって一体で閉鎖方向に回動して開口部全閉状態に戻り、第１扉体２の戸先側端面２２から突出するラッチＬ１がドア枠１の戸先側縦枠１０の見込面１００に形成したラッチ受け１０００に係止する。
【０１２１】
本実施形態では、第１空間と第２空間の圧力差が解消された状態では、第１扉体２が閉鎖方向の付勢力によって第２扉体３に対して閉鎖姿勢を維持することで、第１扉体２（第２扉体３に対して閉鎖姿勢）と第２扉体３が一体で回動するようにしている。これに対して、第１扉体２が第２扉体３に対して所定角度回動した姿勢（図１８参照）で、第１扉体２と第２扉体３が一体で回動するものでもよい。
【０１２２】
上述のように、本実施形態では、戸先側の第１扉体２と戸尻側の第２扉体３のあいじゃくり部に、第１扉体２の回動角度規制部材８を設けることで、圧力差を解消可能な開き角度までしか第１扉体２が開かないように動きを規制することで、扉の操作性を向上させた。回動角度規制部材８は、戸先側の第１扉体２と戸尻側の第２扉体３のあいじゃくり部に設けることで、扉の外部に露出することがなく、扉の意匠性に影響を与えることがない。また、回動角度規制部材８は、扉吊り込み後に後付け可能となっており、施工性も良い。
【０１２３】
［Ｇ］その他の態様
［Ｇ−１］第２扉体３に対する第１扉体２の回動時の干渉防止構造
図２１（Ａ）は図４の部分に対応する図、図２１（Ｂ）は図１２の部分に対応する図であり、図２１（Ａ）、図２１（Ｂ）における各構成の説明については、適宜、既述の説明を援用することができる。
【０１２４】
図２１（Ａ）に示すように、第３枠９２は、第１扉体２の戸尻側上面２５に沿って戸尻側上面２５から上方に突出するように設けてあり、第２見付面２１の上端部位（戸尻側上面２５を越えて上方に延びる部位）からなる垂直辺と、垂直辺の上端から戸尻側上面２５に離間対向して第１見付面２０側に水平に延びる水平辺９２０とを備えている。第３枠体９２の垂直辺及び水平辺９２０と、戸尻側上面２５と、から凹溝が形成されており、凹溝には気密部材Ｓ７が設けてある。
【０１２５】
第２扉体３の戸尻側下面３７１の第２空間側部位は、水平面３１２と垂直面３１３からなる凹み部となっており、開口部全閉時には、第３枠９２の上半部位は凹み部に位置しており、第３枠９２と凹み部からあいじゃくり部が形成されている。第１扉体２の全閉姿勢時には、第２扉体３の角部（垂直面３１３と戸尻側下面３７１から形成される）が気密部材Ｓ７に圧接することで、第１扉体２の戸尻側上面２５と第２扉体３の戸尻側下面３７１との隙間の第２側部位を塞ぐようになっている。第３枠９２は、第１扉体２の厚さ内に納まっており、第２見付面２１から突出しない。
【０１２６】
第３枠９２の上側の水平辺９２０において、回動軸心Ｐ近傍の所定部位が切り欠かれており、切り欠き部９２００に位置する水平辺９２０は切り欠きが無い部位の幅に比べて細幅となっている。切り欠き部９２００を形成したことで、第２扉体３に対する第１扉体２の回動時において、第３枠９２の水平辺９２０と第２扉体３の角部(垂直面３１３と戸尻側下面３７１と上方中間見込面３７２から形成される)が干渉しないようになっている。
【０１２７】
第６枠９５は、第１扉体２の戸尻側下面２８に沿って戸尻側下面２８から下方に突出するように設けてあり、第２見付面２１の下端部位（戸尻側下面２８を越えて下方に延びる部位）からなる垂直辺と、垂直辺の下端から戸尻側下面２８に離間対向して第１見付面２０側に水平に延びる水平辺９５０とを備えている。第６枠体９５の垂直辺及び水平辺９５０と、戸尻側下面２８と、から凹溝が形成されており、凹溝には気密部材Ｓ１０が設けてある。
【０１２８】
第２扉体３の戸尻側上面３８１の第２空間側部位は、水平面３１４と垂直面３１５からなる凹み部となっており、開口部全閉時には、第６枠９５の下半部位は凹み部に位置しており、第６枠９５と凹み部からあいじゃくり部が形成されている。第１扉体２の全閉姿勢時には、第２扉体３の角部（垂直面３１５と戸尻側上面３８１から形成される）が気密部材Ｓ１０に圧接することで、第１扉体２の戸尻側下面２８と第３扉体３の戸尻側上面３８１との隙間の第２側部位を塞ぐようになっている。第６枠９５は、第１扉体２の厚さ内に納まっており、第２見付面２１から突出しない。
【０１２９】
第６枠９５の下側の水平辺９５０において、回動軸心Ｐ近傍の所定部位が切り欠かれており、切り欠き部９５００に位置する水平辺９５０は切り欠きが無い部位の幅に比べて細幅となっている。切り欠き部９５００を形成したことで、第２扉体３に対する第１扉体２の回動時において、第６枠９５の水平辺９５０と第２扉体３の角部(垂直面３１５と戸尻側上面３８１と下方中間見込面３８２から形成される)が干渉しないようになっている。
【０１３０】
図２１（Ｂ）に示すように、第２枠９２´は、第１扉体２の戸尻側上面２５´に沿って戸尻側上面２５´から上方に突出するように設けてあり、第２見付面２１の上端部位（戸尻側上面２５´を越えて上方に延びる部位）からなる垂直辺と、垂直辺の上端から戸尻側上面２５´に離間対向して第１見付面２０側に水平に延びる水平辺９２０´とを備えている。第２枠体９２´の垂直辺及び水平辺９２０´と、戸尻側上面２５´と、から凹溝が形成されており、凹溝には気密部材Ｓ７´が設けてある。
【０１３１】
第２扉体３の上側部位３Ａ´の下面３７´の第２空間側部位は、水平面３１２と垂直面３１３からなる凹み部となっており、開口部全閉時には、第２枠９２´の上半部位は凹み部に位置しており、第２枠９２´と凹み部からあいじゃくり部が形成されている。第１扉体２の全閉姿勢時には、第２扉体３の角部（垂直面３１３と下面３７´から形成される）が気密部材Ｓ７´に圧接することで、第１扉体２の戸尻側上面２５´と第２扉体３の上側部位３Ａ´の下面３７´との隙間の第２側部位を塞ぐようになっている。第２枠９２´は、第１扉体２の厚さ内に納まっており、第２見付面２１から突出しない。
【０１３２】
第２枠９２´の上側の水平辺９２０´において、回動軸心Ｐ近傍の所定部位が切り欠かれており、切り欠き部９２００´に位置する水平辺９２０´は切り欠きが無い部位の幅に比べて細幅となっている。切り欠き部９２００´を形成したことで、第２扉体３に対する第１扉体２の回動時において、第２枠９２´の水平辺９２０´と第２扉体３の角部(垂直面３１３と下面３７´と上方戸先側見込面３２´から形成される)が干渉しないようになっている。
【０１３３】
第４枠９５´は、第１扉体２の戸尻側下面２８´に沿って戸尻側下面２８´から下方に突出するように設けてあり、第２見付面２１の下端部位（戸尻側下面２８´を越えて下方に延びる部位）からなる垂直辺と、垂直辺の下端から戸尻側下面２８´に離間対向して第１見付面２０側に水平に延びる水平辺９５０´とを備えている。第４枠体９５´の垂直辺及び水平辺９５０´と、戸尻側下面２８´と、から凹溝が形成されており、凹溝には気密部材Ｓ１０´が設けてある。
【０１３４】
第２扉体３の下側部位３Ｂ´の上面３８´の第２空間側部位は、水平面３１４と垂直面３１５からなる凹み部となっており、開口部全閉時には、第４枠９５´の下半部位は凹み部に位置しており、第４枠９５´と凹み部からあいじゃくり部が形成されている。第１扉体２の全閉姿勢時には、第２扉体３の角部（垂直面３１５と下側部位３Ｂ´の上面３８´から形成される）が気密部材Ｓ１０´に圧接することで、第１扉体２の戸尻側下面２８´と第３扉体３の上面３８´との隙間の第２側部位を塞ぐようになっている。第４枠９５´は、第１扉体２の厚さ内に納まっており、第２見付面２１から突出しない。
【０１３５】
第４枠９５´の下側の水平辺９５０´において、回動軸心Ｐ近傍の所定部位が切り欠かれており、切り欠き部９５００´に位置する水平辺９５０´は切り欠きが無い部位の幅に比べて細幅となっている。切り欠き部９５００´を形成したことで、第２扉体３に対する第１扉体２の回動時において、第４枠９５´の水平辺９５０´と第２扉体３の角部(垂直面３１５と上面３８´と下方戸先側見込面３３´から形成される)が干渉しないようになっている。
【０１３６】
図２２は、第２扉体３に対して第１扉体２が９０度回動した状態を示す横断面図であり、図２３は、図２２の状態から第１扉体２が閉鎖方向に所定角度回動した状態を示す横断面図である。図２２、図２３は、図２１（Ｂ）における矢印方向から見た横断面図である。第２扉体３に対する第１扉体２を吊り込みは、図２２の姿勢で行われる。
【０１３７】
図２２に示すように、第２扉体３に対して第１扉体２が９０度回動した状態において、第２扉体３の上方戸先側見込面３２´は、第２枠９２´の上側の水平辺９２０´の切り欠き部９２００´及び気密部材Ｓ７´に対向しており、また、上方戸先側見込面３２´に固定された補強部材の第２部分８４は切り欠き部９２００´内に位置している。
【０１３８】
図２３に示すように、図２２の状態から第１扉体２が閉鎖方向に回動すると、第２扉体３の角部(垂直面３１３と下面３７´と上方戸先側見込面３２´から形成される)が水平辺９２０´の縁部のラインよりも第２見付面２１側に進入するが、水平辺９２０´の切り欠き部９２００´が上記角部の周りを回動するようになっているので、水平辺９２０´と第２扉体３の角部(垂直面３１３と下面３７´と上方戸先側見込面３２´から形成される)が干渉しないようになっている。
【０１３９】
図２２、図２３を参照しつつ、第２扉体３に対する第１扉体２の回動時における第１扉体２の第２枠９２´と第２扉体３の角部(垂直面３１３と下面３７´と上方戸先側見込面３２´から形成される)との関係について説明したが、同様の説明は、第３枠９２の水平辺９２０と第２扉体３の角部(垂直面３１３と戸尻側下面３７１と上方中間見込面３７２から形成される)との関係、第６枠９５の水平辺９５０と第２扉体３の角部(垂直面３１５と戸尻側上面３８１と下方中間見込面３８２から形成される)との関係、第４枠９５´の水平辺９５０´と第２扉体３の角部(垂直面３１５と上面３８´と下方戸先側見込面３３´から形成される)との関係の説明として援用することができる。
【０１４０】
［Ｇ−２］両開き戸
図２４に示すように、１つの実施形態では、ドア装置は両開き戸である。両開き戸の一方の扉は第１扉体２と第２扉体３からなり、他方の扉は１枚の扉体１６からなる。第１扉体２と第２扉体３は、第１扉体２が第２扉体３に対して閉鎖姿勢となって一体となった状態で縦長方形状の扉を形成し、縦長方形状の開口部を閉鎖する。ドア枠１´は、第１縦枠１０´と、第２縦枠１１´と、上枠１２´と、下枠１３´と、からなる方形状の四周枠であり、第２扉体３は丁番１４によって第２縦枠１１´に回動可能に連結されており、扉体１６は丁番１４によって第１縦枠１０´に回動可能に連結されている。第２扉体３、扉体１６はそれぞれドアクローザ１５を備えている。第１扉体２及び第２扉体３の構成については、既述の説明を援用することができる。
【０１４１】
［Ｇ−３］電気錠のロック解除
１つの実施形態では、第１扉体２の第１見付面２０の戸尻側部位には、第１扉体２に内蔵されラッチ錠４に位置して開口が形成されており、この開口を塞ぐように点検用化粧カバー４０が螺子を用いて着脱可能に取り付けられている（図２４、図２５参照）。ラッチ錠４のケースには開口に面するようにラッチＬ２の解錠操作部４１が設けてある（図２５（Ｂ）参照）。本実施形態に係るドア装置の設置時において、電気ストライク５のリセットボタン（図示せず）を押して、第１扉体２を第２扉体３に対して全閉姿勢とすると、ラッチ錠４のラッチＬ２と電気ストライク５が固定されてロック状態となって、第１扉体２と第２扉体３が連結され、一体扉（扉が中央で折れない状態）として動作することを確認する。一体扉としての動作確認のため、電気ストライク５を施錠した場合には、点検用化粧カバー４０を外し、解錠操作部４１からの解錠操作によって、ラッチ錠４のラッチＬ２と電気ストライク５のロックを解錠することで、第１扉体２を開くことができる（通常、第１扉体２と第２扉体３が一体化された状態においては、火報信号を受けない限り電気ストライクのロック解除は行われない。）。
【０１４２】
［Ｇ−４］電気錠の配線
第１扉体２の戸先側に設けたラッチＬ１（図６参照）が電気錠から構成される場合に、電気錠の電線は回動軸芯Ｐを形成するパイプ（例えば、図２に示すヒンジ部Ｐ１のパイプ）の中空部を通って枠側へ延びるように配線することができる。より具体的には、上記電線は、ラッチＬ１を備えた電気錠から第１扉体２の内部空間を通ってパイプの下端まで延び、パイプの下端から上端に向かってパイプ内を高さ方向に延び、パイプの上端から第２扉体３の内部空間を通って戸先側に延び、戸尻側端面３４から戸尻側縦枠１１内に延びるように配線することができる。
【０１４３】
［Ｇ−５］扉体の構成
第１扉体２、第２扉体３のいずれか一方あるいは両方に窓部を設けてもよい。例えば、第１扉体２の面部に窓部が設けられる。
【０１４４】
第１扉体２、第２扉体３のいずれか一方あるいは両方に消防用ホースを通すための小扉を設けてもよい。このような小扉は、第１扉体ないし第２扉体３の一部から形成することができる。例えば、図２において、第２扉体３の戸先側かつ下方の角部の部分を小扉とする。この小扉は、戸先側端面、戸尻側端面、上端面、下端面を備えた正面視方形状の開き小扉であって、戸先側端面が第２扉体３の下方戸先側端面３３の部分から形成され、下端面が第２扉体３の下端面３６の部分から形成される。例えば、図１０において、第１扉体２の戸先側かつ下方の角部の部分を小扉とする。この小扉は、戸先側端面、戸尻側端面、上端面、下端面を備えた正面視方形状の開き小扉であって、戸先側端面が第１扉体２の戸先側端面２２´の部分から形成され、下端面が第１扉体２の戸先側下面２７´の部分から形成される。
【符号の説明】
【０１４５】
１  ドア枠
２  第１扉体
２００  突片
２４  戸先側上面
２５  戸尻側上面
２６  上方中間見込面（第１見込面）
２６´  上方中間見込面（第１見込面）
２７  戸先側下面
２８  戸尻側下面
２９  下方中間見込面（第１見込面）
２９´  下方中間見込面（第１見込面）
２６０  開口（受部、回動角度規制手段）
２６２  第２縦縁
２９０  開口（受部、回動角度規制手段）
２９２  第２縦縁
３  第２扉体
３７２  上方中間見込面（上方見込面、第２見込面）
３２´  上方戸先側見込面（上方見込面、第２見込面）
３８２  下方中間見込面（下方見込面、第２見込面）
３３´  下方戸先側見込面（下方見込面、第２見込面）
８  回動角度規制部材（回動角度規制手段）
８０  第１部分
８１  第２部分（突部、回動角度規制手段）
８３  第１部分（補強部材）
８４  第２部分（補強部材、当接部）
８５  螺子
Ｇ  隙間
Ｐ  回動軸芯
Ｓ６、Ｓ９、Ｓ６´、Ｓ９´  気密部材
【図１】
2020143567.tif 000003
【図２】
2020143567.tif 000004
【図３】
2020143567.tif 000005
【図４】
2020143567.tif 000006
【図５】
2020143567.tif 000007
【図６】
2020143567.tif 000008
【図７】
2020143567.tif 000009
【図８】
2020143567.tif 000010
【図９】
2020143567.tif 000011
【図１０】
2020143567.tif 000012
【図１１】
2020143567.tif 000013
【図１２】
2020143567.tif 000014
【図１３】
2020143567.tif 000015
【図１４】
2020143567.tif 000016
【図１５】
2020143567.tif 000017
【図１６】
2020143567.tif 000018
【図１７】
2020143567.tif 000019
【図１８】
2020143567.tif 000020
【図１９】
2020143567.tif 000021
【図２０】
2020143567.tif 000022
【図２１】
2020143567.tif 000023
【図２２】
2020143567.tif 000024
【図２３】
2020143567.tif 000025
【図２４】
2020143567.tif 000026
【図２５】
2020143567.tif 000027